(57)【要約】      （修正有）【課題】マシンタイプ通信（ＭＴＣ）デバイスおよび拡張ＭＴＣ（ｅＭＴＣ）におけるブロードキャスト送信のランダムアクセス手順および／または優先度付けするための技法及び装置を提供する。【解決手段】技法は、バンドルされたランダムアクセスチャネル（ＲＡＣＨ）メッセージをＵＥが基地局（ＢＳ）に送信し得る複数のサブフレームを決定することと、複数のサブフレーム内で、バンドルされたＲＡＣＨメッセージを送信するための少なくとも１つの狭帯域領域を決定することと、バンドルされたＲＡＣＨメッセージのためのバンドリングサイズを決定することと、バンドリングサイズが、バンドルされたＲＡＣＨメッセージが送信される複数のサブフレームの数を示す、決定されたバンドリングサイズに少なくとも部分的に基づいて、複数のサブフレームの狭帯域領域中でバンドルされたＲＡＣＨメッセージを送信することと、を含む。【選択図】図６
2020092434.tif 000002
【特許請求の範囲】
【請求項１】
ユーザ機器（ＵＥ）によるワイヤレス通信のための方法であって、
バンドルされたランダムアクセスチャネル（ＲＡＣＨ）メッセージを前記ＵＥが基地局（ＢＳ）に送信し得る複数のサブフレームを決定することと、
前記複数のサブフレーム内で、前記バンドルされたＲＡＣＨメッセージを送信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信することと
を備える、方法。
【請求項２】
前記複数のサブフレームが、前記バンドルされたＲＡＣＨメッセージの開始サブフレームとして利用可能な特定のサブフレームに少なくとも部分的に基づいて決定される、請求項１に記載の方法。
【請求項３】
前記バンドルされたＲＡＣＨメッセージのための前記バンドリングサイズが、前記ＢＳからのブロードキャストシグナリングに少なくとも部分的に基づいて決定される、請求項１に記載の方法。
【請求項４】
前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、請求項１に記載の方法。
【請求項５】
前記バンドルされたＲＡＣＨメッセージのための前記バンドリングサイズが、推定カバレージ拡張ターゲットに少なくとも部分的に基づいて決定される、請求項１に記載の方法。
【請求項６】
前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、請求項１に記載の方法。
【請求項７】
前記成功または失敗が、前に送信されたバンドルされたＲＡＣＨメッセージについての前記ＢＳからのランダムアクセス応答メッセージを正常に復号することに少なくとも部分的に基づいて決定される、請求項６に記載の方法。
【請求項８】
前記前のバンドルされたＲＡＣＨメッセージを正常に復号することの前記ＢＳの失敗に応答して、
前記前のバンドルされたＲＡＣＨメッセージのためのバンドリングサイズに対して前記バンドルされたＲＡＣＨメッセージのための前記バンドリングサイズを増加させること、または
前記前のバンドルされたＲＡＣＨメッセージのための送信電力に対して前記バンドルされたＲＡＣＨメッセージのための送信電力を増加させること
のうちの少なくとも１つをさらに備える、請求項６に記載の方法。
【請求項９】
前記ＢＳからバンドルされたランダムアクセス応答メッセージを受信することをさらに備える、請求項１に記載の方法。
【請求項１０】
前記バンドルされたランダムアクセス応答メッセージの制御部分の狭帯域領域またはバンドリングサイズのうちの少なくとも１つが、前記選択されたバンドルされたＲＡＣＨメッセージからの少なくとも１つのプロパティの決定に少なくとも部分的に基づく、請求項９に記載の方法。
【請求項１１】
前記少なくとも１つのプロパティが、前記バンドルされたＲＡＣＨメッセージの前記少なくとも１つの狭帯域領域または前記バンドリングサイズのうちの少なくとも１つを備える、請求項１０に記載の方法。
【請求項１２】
前記バンドルされたランダムアクセス応答メッセージのタイミングが、前記バンドルされたＲＡＣＨメッセージの前記バンドリングサイズに少なくとも部分的に基づく、請求項９に記載の方法。
【請求項１３】
前記バンドルされたランダムアクセス応答メッセージは、前記ＵＥが接続要求メッセージを送信するための狭帯域領域またはバンドリングサイズのうちの少なくとも１つを示す、請求項９に記載の方法。
【請求項１４】
前記バンドルされたランダムアクセス応答メッセージは、前記ＵＥが前記ＢＳから競合解消メッセージを受信するための狭帯域領域またはバンドリングサイズのうちの少なくとも１つを示す、請求項１３に記載の方法。
【請求項１５】
前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、請求項９に記載の方法。
【請求項１６】
接続要求メッセージを送信するタイミングが、前記バンドルされたランダムアクセス応答メッセージまたは前記接続要求メッセージのうちの少なくとも１つのバンドリングサイズに少なくとも部分的に基づく、請求項９に記載の方法。
【請求項１７】
前記ＢＳからの競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、請求項９に記載の方法。
【請求項１８】
前記ＢＳから収集すべきメッセージのタイプを決定するための前記ＵＥの優先度を適用することと、ここにおいて、メッセージの前記タイプが、ランダムアクセス応答メッセージ、ページングメッセージ、またはシステム情報を搬送するブロードキャストメッセージのうちの１つを備える、
前記ＵＥの前記優先度に少なくとも部分的に基づいて、前記ＢＳからのメッセージの前記タイプについて監視することと
をさらに備える、請求項１に記載の方法。
【請求項１９】
ワイヤレス通信のための装置であって、
バンドルされたランダムアクセスチャネル（ＲＡＣＨ）メッセージを前記装置が基地局（ＢＳ）に送信し得る複数のサブフレームを決定するための手段と、
前記複数のサブフレーム内で、前記バンドルされたＲＡＣＨメッセージを送信するための少なくとも１つの狭帯域領域を決定するための手段と、
前記バンドルされたＲＡＣＨメッセージのためのバンドリングサイズを決定するための手段と、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信するための手段と
を備える、装置。
【請求項２０】
前記複数のサブフレームが、前記バンドルされたＲＡＣＨメッセージの開始サブフレームとして利用可能な特定のサブフレームに少なくとも部分的に基づいて決定される、請求項１９に記載の装置。
【請求項２１】
前記バンドルされたＲＡＣＨメッセージのための前記バンドリングサイズが、前記ＢＳからのブロードキャストシグナリングに少なくとも部分的に基づいて決定される、請求項１９に記載の装置。
【請求項２２】
前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、請求項１９に記載の装置。
【請求項２３】
前記バンドルされたＲＡＣＨメッセージのための前記バンドリングサイズが、推定カバレージ拡張ターゲットに少なくとも部分的に基づいて決定される、請求項１９に記載の装置。
【請求項２４】
前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、請求項１９に記載の装置。
【請求項２５】
ランダムアクセス応答メッセージを復号するための手段をさらに備え、ここにおいて、前記成功または失敗が、前に送信されたバンドルされたＲＡＣＨメッセージについての前記ＢＳからの前記ランダムアクセス応答メッセージを正常に復号することに少なくとも部分的に基づいて決定される、請求項２４に記載の装置。
【請求項２６】
前記前のバンドルされたＲＡＣＨメッセージを正常に復号することの前記ＢＳの失敗に応答して、
前記前のバンドルされたＲＡＣＨメッセージのためのバンドリングサイズに対して前記バンドルされたＲＡＣＨメッセージのための前記バンドリングサイズ、または
前記前のバンドルされたＲＡＣＨメッセージのための送信電力に対して前記バンドルされたＲＡＣＨメッセージのための送信電力
のうちの少なくとも１つを増加させるための手段をさらに備える、請求項２４に記載の装置。
【請求項２７】
前記ＢＳからバンドルされたランダムアクセス応答メッセージを受信するための手段をさらに備える、請求項１９に記載の装置。
【請求項２８】
前記バンドルされたランダムアクセス応答メッセージの制御部分の狭帯域領域またはバンドリングサイズのうちの少なくとも１つが、前記選択されたバンドルされたＲＡＣＨメッセージからの少なくとも１つのプロパティの決定に少なくとも部分的に基づく、請求項２７に記載の装置。
【請求項２９】
前記少なくとも１つのプロパティが、前記バンドルされたＲＡＣＨメッセージの前記少なくとも１つの狭帯域領域または前記バンドリングサイズのうちの少なくとも１つを備える、請求項２７に記載の装置。
【請求項３０】
前記バンドルされたランダムアクセス応答メッセージのタイミングが、前記バンドルされたＲＡＣＨメッセージの前記バンドリングサイズに少なくとも部分的に基づく、請求項２７に記載の装置。
【請求項３１】
接続要求メッセージを送信するための手段をさらに備え、ここにおいて、前記バンドルされたランダムアクセス応答メッセージは、前記装置が前記接続要求メッセージを送信するための狭帯域領域またはバンドリングサイズのうちの少なくとも１つを示す、請求項２７に記載の装置。
【請求項３２】
競合解消メッセージを受信するための手段をさらに備え、ここにおいて、前記バンドルされたランダムアクセス応答メッセージは、前記装置が前記ＢＳから前記競合解消メッセージを受信するための狭帯域領域またはバンドリングサイズのうちの少なくとも１つを示す、請求項３１に記載の装置。
【請求項３３】
接続要求メッセージを送信するための手段をさらに備え、ここにおいて、前記バンドルされたランダムアクセス応答メッセージが、前記接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、請求項２７に記載の装置。
【請求項３４】
接続要求メッセージを送信するための手段をさらに備え、ここにおいて、前記接続要求メッセージを送信するタイミングが、前記バンドルされたランダムアクセス応答メッセージまたは前記接続要求メッセージのうちの少なくとも１つのバンドリングサイズに少なくとも部分的に基づく、請求項２７に記載の装置。
【請求項３５】
競合解消メッセージを受信するための手段をさらに備え、ここにおいて、前記ＢＳからの前記競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、請求項２７に記載の装置。
【請求項３６】
前記ＢＳから収集すべきメッセージのタイプを決定するための前記装置の優先度を適用するための手段と、ここにおいて、メッセージの前記タイプが、ランダムアクセス応答メッセージ、ページングメッセージ、またはシステム情報を搬送するブロードキャストメッセージのうちの１つを備える、
前記装置の前記優先度に少なくとも部分的に基づいて、前記ＢＳからのメッセージの前記タイプについて監視するための手段と
をさらに備える、請求項１９に記載の装置。
【請求項３７】
ワイヤレス通信のための装置であって、
バンドルされたランダムアクセスチャネル（ＲＡＣＨ）メッセージを前記装置が基地局（ＢＳ）に送信し得る複数のサブフレームを決定することと、
前記複数のサブフレーム内で、前記バンドルされたＲＡＣＨメッセージを送信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが送信される前記複数のサブフレームの数を示す、
を行うように構成された少なくとも１つのプロセッサと、
前記決定されたバンドリングサイズに少なくとも部分的に基づいて、前記複数のサブフレームの前記少なくとも１つの狭帯域領域中で前記バンドルされたＲＡＣＨメッセージを送信するように構成された送信機と、
前記少なくとも１つのプロセッサに結合されたメモリと
を備える、装置。
【請求項３８】
ユーザ機器（ＵＥ）によるワイヤレス通信のためのコンピュータ可読媒体であって、  バンドルされたランダムアクセスチャネル（ＲＡＣＨ）メッセージを前記ＵＥが基地局（ＢＳ）に送信し得る複数のサブフレームを決定するためのコードと、
前記複数のサブフレーム内で、前記バンドルされたＲＡＣＨメッセージを送信するための少なくとも１つの狭帯域領域を決定するためのコードと、
前記バンドルされたＲＡＣＨメッセージのためのバンドリングサイズを決定するためのコードと、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信するためのコードと
を備えるコンピュータ実行可能コードを記憶した、コンピュータ可読媒体。
【請求項３９】
基地局（ＢＳ）によるワイヤレス通信のための方法であって、
バンドルされたランダムアクセスチャネル（ＲＡＣＨ）メッセージをユーザ機器（ＵＥ）が前記ＢＳに送信し得る複数のサブフレームを決定することと、
前記複数のサブフレーム内で、前記バンドルされたＲＡＣＨメッセージを受信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信することと
を備える、方法。
【請求項４０】
前記複数のサブフレームが、前記バンドルされたＲＡＣＨメッセージの開始サブフレームとして利用可能な特定のサブフレームに少なくとも部分的に基づいて決定される、請求項３９に記載の方法。
【請求項４１】
前記バンドルされたＲＡＣＨメッセージのための前記バンドリングサイズが、前記ＢＳからのブロードキャストシグナリングに少なくとも部分的に基づいて決定される、請求項３９に記載の方法。
【請求項４２】
前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、請求項３９に記載の方法。
【請求項４３】
前記バンドルされたＲＡＣＨメッセージのための前記バンドリングサイズが、推定カバレージ拡張ターゲットに少なくとも部分的に基づいて決定される、請求項３９に記載の方法。
【請求項４４】
前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、請求項３９に記載の方法。
【請求項４５】
前記成功または失敗は、前のバンドルされたＲＡＣＨメッセージについての前記ＢＳからのランダムアクセス応答メッセージを前記ＵＥが正常に復号することに少なくとも部分的に基づいて決定される、請求項４４に記載の方法。
【請求項４６】
前記ＢＳからバンドルされたランダムアクセス応答メッセージを送信することをさらに備える、請求項３９に記載の方法。
【請求項４７】
前記バンドルされたランダムアクセス応答メッセージの制御部分の狭帯域領域またはバンドリングサイズのうちの少なくとも１つが、前記バンドルされたＲＡＣＨメッセージからの少なくとも１つのプロパティの決定に少なくとも部分的に基づいて決定される、請求項４６に記載の方法。
【請求項４８】
前記バンドルされたＲＡＣＨメッセージからの前記少なくとも１つのプロパティが、前記バンドルされたＲＡＣＨメッセージの前記少なくとも１つの狭帯域領域または前記バンドリングサイズのうちの少なくとも１つを備える、請求項４７に記載の方法。
【請求項４９】
前記ランダムアクセス応答メッセージのタイミングが、前記バンドルされたＲＡＣＨメッセージの前記バンドリングサイズに少なくとも部分的に基づく、請求項４６に記載の方法。
【請求項５０】
前記バンドルされたランダムアクセス応答メッセージは、前記ＵＥが接続要求メッセージを送信するための狭帯域領域またはバンドリングサイズのうちの少なくとも１つを示す、請求項４６に記載の方法。
【請求項５１】
前記バンドルされたランダムアクセス応答メッセージは、前記ＵＥが前記ＢＳから競合解消メッセージを受信するための狭帯域領域またはバンドリングサイズのうちの少なくとも１つを示す、請求項５０に記載の方法。
【請求項５２】
前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、請求項４６に記載の方法。
【請求項５３】
接続要求メッセージを受信するタイミングが、前記バンドルされたランダムアクセス応答メッセージまたは前記接続要求メッセージのうちの少なくとも１つのバンドリングサイズに少なくとも部分的に基づく、請求項４６に記載の方法。
【請求項５４】
前記ＢＳからの競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、請求項４６に記載の方法。
【請求項５５】
ワイヤレス通信のための装置であって、
バンドルされたランダムアクセスチャネル（ＲＡＣＨ）メッセージをユーザ機器（ＵＥ）が前記装置に送信し得る複数のサブフレームを決定するための手段と、
前記複数のサブフレーム内で、前記バンドルされたＲＡＣＨメッセージを受信するための少なくとも１つの狭帯域領域を決定するための手段と、
前記バンドルされたＲＡＣＨメッセージのためのバンドリングサイズを決定するための手段と、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信するための手段と
を備える、装置。
【請求項５６】
前記複数のサブフレームが、前記バンドルされたＲＡＣＨメッセージの開始サブフレームとして利用可能な特定のサブフレームに少なくとも部分的に基づいて決定される、請求項５５に記載の装置。
【請求項５７】
前記バンドルされたＲＡＣＨメッセージのための前記バンドリングサイズが、前記装置からのブロードキャストシグナリングに少なくとも部分的に基づいて決定される、請求項５５に記載の装置。
【請求項５８】
前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、請求項５５に記載の装置。
【請求項５９】
前記バンドルされたＲＡＣＨメッセージのための前記バンドリングサイズが、推定カバレージ拡張ターゲットに少なくとも部分的に基づいて決定される、請求項５５に記載の装置。
【請求項６０】
前記バンドルされたＲＡＣＨメッセージのための前記バンドリングサイズが、前のバンドルされたＲＡＣＨメッセージを正常に復号することの前記装置の成功または失敗に少なくとも部分的に基づいて決定される、請求項５５に記載の装置。
【請求項６１】
前記成功または失敗は、前のバンドルされたＲＡＣＨメッセージについての前記装置からのランダムアクセス応答メッセージを前記ＵＥが正常に復号することに少なくとも部分的に基づいて決定される、請求項６０に記載の装置。
【請求項６２】
前記装置からバンドルされたランダムアクセス応答メッセージを送信するための手段をさらに備える、請求項５５に記載の装置。
【請求項６３】
前記バンドルされたランダムアクセス応答メッセージの制御部分の狭帯域領域またはバンドリングサイズのうちの少なくとも１つが、前記バンドルされたＲＡＣＨメッセージからの少なくとも１つのプロパティの決定に少なくとも部分的に基づく、請求項６２に記載の装置。
【請求項６４】
前記バンドルされたＲＡＣＨメッセージからの前記少なくとも１つのプロパティが、前記バンドルされたＲＡＣＨメッセージの前記少なくとも１つの狭帯域領域または前記バンドリングサイズのうちの少なくとも１つを備える、請求項６３に記載の装置。
【請求項６５】
前記バンドルされたランダムアクセス応答メッセージのタイミングが、前記バンドルされたＲＡＣＨメッセージの前記バンドリングサイズに少なくとも部分的に基づく、請求項６２に記載の装置。
【請求項６６】
前記バンドルされたランダムアクセス応答メッセージは、前記ＵＥが接続要求メッセージを送信するための狭帯域領域またはバンドリングサイズのうちの少なくとも１つを示す、請求項６２に記載の装置。
【請求項６７】
前記バンドルされたランダムアクセス応答メッセージは、前記ＵＥが前記装置から競合解消メッセージを受信するための狭帯域領域またはバンドリングサイズのうちの少なくとも１つを示す、請求項６６に記載の装置。
【請求項６８】
前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、請求項６２に記載の装置。
【請求項６９】
接続要求メッセージを受信するための手段をさらに備え、ここにおいて、前記接続要求メッセージを受信するタイミングが、前記バンドルされたランダムアクセス応答メッセージまたは前記接続要求メッセージのうちの少なくとも１つのバンドリングサイズに少なくとも部分的に基づく、請求項６２に記載の装置。
【請求項７０】
競合解消メッセージを送信するための手段をさらに備え、ここにおいて、前記装置からの前記競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、請求項６２に記載の装置。
【請求項７１】
ワイヤレス通信のための装置であって、
バンドルされたランダムアクセスチャネル（ＲＡＣＨ）メッセージをユーザ機器（ＵＥ）が前記装置に送信し得る複数のサブフレームを決定することと、
前記複数のサブフレーム内で、前記バンドルされたＲＡＣＨメッセージを受信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが前記ＵＥによって送信される前記複数のサブフレームの数を示す、
を行うように構成された少なくとも１つのプロセッサと、
前記決定されたバンドリングサイズに少なくとも部分的に基づいて、前記複数のサブフレームの前記少なくとも１つの狭帯域領域中で前記バンドルされたＲＡＣＨメッセージを受信するように構成された受信機と、
前記少なくとも１つのプロセッサに結合されたメモリと
を備える、装置。
【請求項７２】
基地局（ＢＳ）によるワイヤレス通信のためのコンピュータ可読媒体であって、前記コンピュータ可読媒体は、
バンドルされたランダムアクセスチャネル（ＲＡＣＨ）メッセージをユーザ機器（ＵＥ）が前記ＢＳに送信し得る複数のサブフレームを決定するためのコードと、
前記複数のサブフレーム内で、前記バンドルされたＲＡＣＨメッセージを受信するための少なくとも１つの狭帯域領域を決定するためのコードと、
前記バンドルされたＲＡＣＨメッセージのためのバンドリングサイズを決定するためのコードと、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信するためのコードと
を備える、コンピュータ実行可能コードを記憶した、コンピュータ可読媒体。
【請求項７３】
ランダムアクセスチャネル（ＲＡＣＨ）プリアンブルのセットからＲＡＣＨプリアンブルを選択することと、
前記ＲＡＣＨプリアンブルを備える物理ＲＡＣＨ（ＰＲＡＣＨ）メッセージを送信することと、
前記ＲＡＣＨプリアンブルに少なくとも部分的に基づいてランダムアクセス応答（ＲＡＲ）メッセージを受信するためのＲＡＲリソースを決定することと、
前記ＲＡＲリソース上で前記ＲＡＲメッセージを受信することと
を備える、ワイヤレス通信の方法。
【請求項７４】
前記ＲＡＣＨプリアンブルに少なくとも部分的に基づいて１つまたは複数の制御チャネル復号候補を識別することと、
前記１つまたは複数の制御チャネル候補をブラインド復号することと
をさらに備える、請求項７３に記載の方法。
【請求項７５】
前記１つまたは複数の制御チャネル復号候補を識別することが、アグリゲーションレベル、ＲＡＲメッセージバンドリングサイズ、またはＲＡＲメッセージパケットサイズのうちの少なくとも１つを決定することを備える、請求項７４に記載の方法。
【請求項７６】
前記アグリゲーションレベルが拡張制御チャネル要素（ＥＣＣＥ）を備える、請求項７５に記載の方法。
【請求項７７】
前記ＲＡＲメッセージパケットサイズが前記ＲＡＣＨプリアンブルに少なくとも部分的に基づく、請求項７５に記載の方法。
【請求項７８】
前記ＲＡＣＨプリアンブルが、前記ＲＡＲメッセージのバンドリングサイズに少なくとも部分的に基づいて選択される、請求項７３に記載の方法。
【請求項７９】
前記ＲＡＲリソースが、キャリア帯域幅の狭帯域周波数領域、開始送信時間、開始サブフレーム、またはＲＡＲメッセージバンドリングサイズのうちの少なくとも１つを備える、請求項７３に記載の方法。
【請求項８０】
前記ＲＡＲメッセージバンドリングサイズがＰＲＡＣＨメッセージバンドリングサイズに依存しない、請求項７９に記載の方法。
【請求項８１】
ＲＡＣＨプリアンブルを備える物理ランダムアクセスチャネル（ＰＲＡＣＨ）メッセージを受信することと、
前記ＲＡＣＨプリアンブルに少なくとも部分的に基づいてランダムアクセス応答（ＲＡＲ）メッセージを送信するためのＲＡＲリソースを選択することと
を備える、ワイヤレス通信の方法。
【請求項８２】
前記ＲＡＣＨプリアンブルに少なくとも部分的に基づいて前記ＲＡＲメッセージのためのバンドリングサイズを決定することをさらに備える、請求項８１に記載の方法。
【請求項８３】
ワイヤレス通信のための装置であって、
ランダムアクセスチャネル（ＲＡＣＨ）プリアンブルのセットからＲＡＣＨプリアンブルを選択するための手段と、
前記ＲＡＣＨプリアンブルを備える物理ＲＡＣＨ（ＰＲＡＣＨ）メッセージを送信するための手段と、
前記ＲＡＣＨプリアンブルに少なくとも部分的に基づいてランダムアクセス応答（ＲＡＲ）メッセージを受信するためのＲＡＲリソースを決定するための手段と、
前記ＲＡＲリソース上で前記ＲＡＲメッセージを受信するための手段と
を備える、装置。
【請求項８４】
前記ＲＡＣＨプリアンブルに少なくとも部分的に基づいて１つまたは複数の制御チャネル復号候補を識別するための手段と、
前記１つまたは複数の制御チャネル候補をブラインド復号するための手段と
をさらに備える、請求項８３に記載の装置。
【請求項８５】
前記１つまたは複数の制御チャネル復号候補を識別するための前記手段が、アグリゲーションレベル、ＲＡＲメッセージバンドリングサイズ、またはＲＡＲメッセージパケットサイズのうちの少なくとも１つを決定するための手段を備える、請求項８４に記載の装置。
【請求項８６】
前記アグリゲーションレベルが拡張制御チャネル要素（ＥＣＣＥ）を備える、請求項８５に記載の装置。
【請求項８７】
前記ＲＡＲメッセージパケットサイズが前記ＲＡＣＨプリアンブルに少なくとも部分的に基づく、請求項８５に記載の装置。
【請求項８８】
前記ＲＡＣＨプリアンブルが、前記ＲＡＲメッセージのバンドリングサイズに少なくとも部分的に基づいて選択される、請求項８３に記載の装置。
【請求項８９】
前記ＲＡＲリソースが、キャリア帯域幅の狭帯域周波数領域、開始送信時間、開始サブフレーム、またはＲＡＲメッセージバンドリングサイズのうちの少なくとも１つを備える、請求項８３に記載の装置。
【請求項９０】
前記ＲＡＲメッセージバンドリングサイズがＰＲＡＣＨメッセージバンドリングサイズに依存しない、請求項８９に記載の装置。
【請求項９１】
ワイヤレス通信のための装置であって、
ＲＡＣＨプリアンブルを備える物理ランダムアクセスチャネル（ＰＲＡＣＨ）メッセージを受信するための手段と、
前記ＲＡＣＨプリアンブルに少なくとも部分的に基づいてランダムアクセス応答（ＲＡＲ）メッセージを送信するためのＲＡＲリソースを選択するための手段と
を備える、装置。
【請求項９２】
前記ＲＡＣＨプリアンブルに少なくとも部分的に基づいて前記ＲＡＲメッセージのためのバンドリングサイズを決定するための手段をさらに備える、請求項９１に記載の装置。
【請求項９３】
ワイヤレス通信のための装置であって、
ランダムアクセスチャネル（ＲＡＣＨ）プリアンブルのセットからＲＡＣＨプリアンブルを選択することと、
送信機を介して、前記ＲＡＣＨプリアンブルを備える物理ＲＡＣＨ（ＰＲＡＣＨ）メッセージを送信することと、
前記ＲＡＣＨプリアンブルに少なくとも部分的に基づいてランダムアクセス応答（ＲＡＲ）メッセージを受信するためのＲＡＲリソースを決定することと、
受信機を介して、前記ＲＡＲリソース上で前記ＲＡＲメッセージを受信することと
を行うように構成された少なくとも１つのプロセッサと、
前記少なくとも１つのプロセッサに結合されたメモリと
を備える、装置。
【請求項９４】
前記少なくとも１つのプロセッサが、
前記ＲＡＣＨプリアンブルに少なくとも部分的に基づいて１つまたは複数の制御チャネル復号候補を識別することと、
前記１つまたは複数の制御チャネル候補をブラインド復号することと
を行うようにさらに構成された、請求項９３に記載の装置。
【請求項９５】
前記少なくとも１つのプロセッサが、アグリゲーションレベル、ＲＡＲメッセージバンドリングサイズ、またはＲＡＲメッセージパケットサイズのうちの少なくとも１つを決定するように構成された、請求項９４に記載の装置。
【請求項９６】
前記アグリゲーションレベルが拡張制御チャネル要素（ＥＣＣＥ）を備える、請求項９５に記載の装置。
【請求項９７】
前記ＲＡＲメッセージパケットサイズが前記ＲＡＣＨプリアンブルに少なくとも部分的に基づく、請求項９５に記載の装置。
【請求項９８】
前記ＲＡＣＨプリアンブルが、前記ＲＡＲメッセージのバンドリングサイズに少なくとも部分的に基づいて選択される、請求項９３に記載の装置。
【請求項９９】
前記ＲＡＲリソースが、キャリア帯域幅の狭帯域周波数領域、開始送信時間、開始サブフレーム、またはＲＡＲメッセージバンドリングサイズのうちの少なくとも１つを備える、請求項９３に記載の装置。
【請求項１００】
前記ＲＡＲメッセージバンドリングサイズがＰＲＡＣＨメッセージバンドリングサイズに依存しない、請求項９９に記載の装置。
【請求項１０１】
ワイヤレス通信のための装置であって、
ＲＡＣＨプリアンブルを備える物理ランダムアクセスチャネル（ＰＲＡＣＨ）メッセージを受信するように構成された受信機と、
前記ＲＡＣＨプリアンブルに少なくとも部分的に基づいてランダムアクセス応答（ＲＡＲ）メッセージを送信するためのＲＡＲリソースを選択するように構成された少なくとも１つのプロセッサと、
前記少なくとも１つのプロセッサに結合されたメモリと
を備える、装置。
【請求項１０２】
前記少なくとも１つのプロセッサが、前記ＲＡＣＨプリアンブルに少なくとも部分的に基づいて前記ＲＡＲメッセージのためのバンドリングサイズを決定するようにさらに構成された、請求項１０１に記載の装置。
【請求項１０３】
ランダムアクセスチャネル（ＲＡＣＨ）プリアンブルのセットからＲＡＣＨプリアンブルを選択するためのコードと、
前記ＲＡＣＨプリアンブルを備える物理ＲＡＣＨ（ＰＲＡＣＨ）メッセージを送信するためのコードと、
前記ＲＡＣＨプリアンブルに少なくとも部分的に基づいてランダムアクセス応答（ＲＡＲ）メッセージを受信するためのＲＡＲリソースを決定するためのコードと、
前記ＲＡＲリソース上で前記ＲＡＲメッセージを受信するためのコードと
を備える、コンピュータ実行可能コードを記憶した非一時的コンピュータ可読媒体。
【請求項１０４】
前記ＲＡＣＨプリアンブルに少なくとも部分的に基づいて１つまたは複数の制御チャネル復号候補を識別するためのコードと、
前記１つまたは複数の制御チャネル候補をブラインド復号するためのコードと
をさらに備える、請求項１０３に記載の非一時的コンピュータ可読媒体。
【請求項１０５】
前記１つまたは複数の制御チャネル復号候補を識別するための前記コードが、アグリゲーションレベル、ＲＡＲメッセージバンドリングサイズ、またはＲＡＲメッセージパケットサイズのうちの少なくとも１つを決定するためのコードを備える、請求項１０４に記載の非一時的コンピュータ可読媒体。
【請求項１０６】
前記アグリゲーションレベルが拡張制御チャネル要素（ＥＣＣＥ）を備える、請求項１０５に記載の非一時的コンピュータ可読媒体。
【請求項１０７】
前記ＲＡＲメッセージパケットサイズが前記ＲＡＣＨプリアンブルに少なくとも部分的に基づく、請求項１０５に記載の非一時的コンピュータ可読媒体。
【請求項１０８】
前記ＲＡＣＨプリアンブルが、前記ＲＡＲメッセージのバンドリングサイズに少なくとも部分的に基づいて選択される、請求項１０３に記載の非一時的コンピュータ可読媒体。
【請求項１０９】
前記ＲＡＲリソースが、キャリア帯域幅の狭帯域周波数領域、開始送信時間、開始サブフレーム、またはＲＡＲメッセージバンドリングサイズのうちの少なくとも１つを備える、請求項１０３に記載の非一時的コンピュータ可読媒体。
【請求項１１０】
前記ＲＡＲメッセージバンドリングサイズがＰＲＡＣＨメッセージバンドリングサイズに依存しない、請求項１０９に記載の非一時的コンピュータ可読媒体。
【請求項１１１】
ＲＡＣＨプリアンブルを備える物理ランダムアクセスチャネル（ＰＲＡＣＨ）メッセージを受信するためのコードと、
前記ＲＡＣＨプリアンブルに少なくとも部分的に基づいてランダムアクセス応答（ＲＡＲ）メッセージを送信するためのＲＡＲリソースを選択するためのコードと
を備える、コンピュータ実行可能コードを記憶した非一時的コンピュータ可読媒体。
【請求項１１２】
前記ＲＡＣＨプリアンブルに少なくとも部分的に基づいて前記ＲＡＲメッセージのためのバンドリングサイズを決定するためのコードをさらに備える、請求項１１１に記載の非一時的コンピュータ可読媒体。
【発明の詳細な説明】
【技術分野】
【０００１】
関連出願の相互参照
[0001]本出願は、２０１５年１月３０日に出願された米国仮出願第６２／１１０，１６４号と、２０１５年５月２２日に出願された米国仮出願第６２／１６５，８２３号と、２０１６年１月２８日に出願された米国特許出願第１５／００９，８０４号との利益を主張し、それら３つのすべての出願は、本出願の譲受人に譲渡され、参照により本明細書に明確に組み込まれる。
【０００２】
[0002]本開示のいくつかの態様は、一般にワイヤレス通信に関し、より詳細には、マシンタイプ通信（ＭＴＣ）デバイスおよび拡張または発展型ＭＴＣ（ｅＭＴＣ）におけるブロードキャスト送信のランダムアクセス手順および／または優先度付けに関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標））アドバンストシステムを含む第３世代パートナーシッププロジェクト（３ＧＰＰ（登録商標））ＬＴＥ、および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスの通信をサポートすることができるいくつかの基地局を含み得る。ワイヤレスデバイスはユーザ機器（ＵＥ）を含み得る。いくつかのＵＥは、基地局、別のリモートデバイス、または何らかの他のエンティティと通信し得る、リモートデバイスを含み得る、マシンタイプ通信（ＭＴＣ）ＵＥと見なされ得る。マシンタイプ通信（ＭＴＣ）は、通信の少なくとも１つの終端上の少なくとも１つのリモートデバイスを伴う通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【発明の概要】
【０００６】
[0006]本開示のシステム、方法、およびデバイスは、それぞれいくつかの態様を有し、それらのうちの単一の態様が単独でその望ましい属性を担うわけではない。次に、以下の特許請求の範囲によって表される本開示の範囲を限定することなしに、いくつかの特徴について手短に説明する。この説明を考慮した後、特に「発明を実施するための形態」と題するセクションを読んだ後、本開示の特徴が、ワイヤレスネットワーク中のアクセスポイントと局との間の改善された通信を含む利点をどのように提供するかが理解されよう。
【０００７】
[0007]ＭＴＣおよび拡張ＭＴＣ（ｅＭＴＣ）におけるブロードキャスト送信のランダムアクセス手順および／または優先度付けのための技法および装置が本明細書で提供される。ＭＴＣ／ｅＭＴＣデバイスは、センサー、メーター、モニタ、ロケーションタグ、ドローン、トラッカー、ロボット／ロボティックデバイスなどのデバイスを含む。ＭＴＣ／ｅＭＴＣデバイスは、万物のインターネット（ＩｏＥ：internet of everything）デバイスまたはモノのインターネット（ＩｏＴ：internet of things）デバイス（たとえば、狭帯域ＩｏＴ（ＮＢ−ＩｏＴ）デバイス）として実装され得る。ＭＴＣデバイスなど、いくつかのデバイスのカバレージを向上させるために、いくつかの送信が送信のバンドルとして送られ、たとえば、複数のサブフレーム上で同じ情報が送信される、「バンドリング」が利用され得る。本開示のいくつかの態様は、ランダムアクセス手順中に交換されるメッセージのためのリソースおよび／またはバンドリングサイズを決定することに関係する。
【０００８】
[0008]本開示のいくつかの態様は、ユーザ機器（ＵＥ）によるワイヤレス通信のための方法を提供する。本方法は、バンドルされたランダムアクセスチャネル（ＲＡＣＨ）メッセージをＵＥが基地局（ＢＳ）に送信し得る複数のサブフレームを決定することと、複数のサブフレーム内で、ＲＡＣＨメッセージを送信するための少なくとも１つの狭帯域領域を決定することと、ＲＡＣＨメッセージのためのバンドリングサイズを決定することとを概して含む。バンドリングサイズは、ＲＡＣＨメッセージが送信される複数のサブフレームの数を示す。本方法はまた、決定されたバンドリングサイズに少なくとも部分的に基づいて、複数のサブフレームの狭帯域領域中でＲＡＣＨメッセージを送信することを含む。
【０００９】
[0009]本開示のいくつかの態様は、ワイヤレス通信のための装置を提供する。本装置は、バンドルされたＲＡＣＨメッセージを本装置がＢＳに送信し得る複数のサブフレームを決定するための手段と、複数のサブフレーム内で、ＲＡＣＨメッセージを送信するための少なくとも１つの狭帯域領域を決定するための手段と、ＲＡＣＨメッセージのためのバンドリングサイズを決定するための手段とを概して含む。バンドリングサイズは、ＲＡＣＨメッセージが送信される複数のサブフレームの数を示す。本装置はまた、決定されたバンドリングサイズに少なくとも部分的に基づいて、複数のサブフレームの狭帯域領域中でＲＡＣＨメッセージを送信するための手段を含む。
【００１０】
[0010]本開示のいくつかの態様は、ワイヤレス通信のための装置を提供する。本装置は、バンドルされたＲＡＣＨメッセージを本装置がＢＳに送信し得る複数のサブフレームを決定することと、複数のサブフレーム内で、ＲＡＣＨメッセージを送信するための少なくとも１つの狭帯域領域を決定することと、ＲＡＣＨメッセージのためのバンドリングサイズを決定することとを行うように構成された少なくとも１つのプロセッサを概して含む。バンドリングサイズは、ＲＡＣＨメッセージが送信される複数のサブフレームの数を示す。本装置はまた、決定されたバンドリングサイズに少なくとも部分的に基づいて、複数のサブフレームの狭帯域領域中でＲＡＣＨメッセージを送信するように構成された送信機を含み得る。本装置は、少なくとも１つのプロセッサに結合されたメモリをさらに含み得る。
【００１１】
[0011]本開示のいくつかの態様は、コンピュータ実行可能コードを記憶したコンピュータ可読媒体を提供する。コンピュータ実行可能コードは、バンドルされたＲＡＣＨメッセージをＵＥがＢＳに送信し得る複数のサブフレームを決定するためのコードと、複数のサブフレーム内で、ＲＡＣＨメッセージを送信するための少なくとも１つの狭帯域領域を決定するためのコードと、ＲＡＣＨメッセージのためのバンドリングサイズを決定するためのコードとを概して含む。バンドリングサイズは、ＲＡＣＨメッセージが送信される複数のサブフレームの数を示す。コンピュータ実行可能コードはまた、決定されたバンドリングサイズに少なくとも部分的に基づいて、複数のサブフレームの狭帯域領域中でＲＡＣＨメッセージを送信するためのコードを含む。
【００１２】
[0012]本開示のいくつかの態様は、ＢＳによるワイヤレス通信のための方法を提供する。本方法は、バンドルされたＲＡＣＨメッセージをＵＥがＢＳに送信し得る複数のサブフレームを決定することと、複数のサブフレーム内で、ＲＡＣＨメッセージを受信するための少なくとも１つの狭帯域領域を決定することと、ＲＡＣＨメッセージのためのバンドリングサイズを決定することとを概して含む。バンドリングサイズは、ＲＡＣＨメッセージがＵＥによって送信される複数のサブフレームの数を示す。本方法はまた、決定されたバンドリングサイズに少なくとも部分的に基づいて、複数のサブフレームの狭帯域領域中でＲＡＣＨメッセージを受信することを含む。
【００１３】
[0013]本開示のいくつかの態様は、ワイヤレス通信のための装置を提供する。本装置は、バンドルされたＲＡＣＨメッセージをＵＥが本装置に送信し得る複数のサブフレームを決定するための手段と、複数のサブフレーム内で、ＲＡＣＨメッセージを受信するための少なくとも１つの狭帯域領域を決定するための手段と、ＲＡＣＨメッセージのためのバンドリングサイズを決定するための手段とを概して含む。バンドリングサイズは、ＲＡＣＨメッセージがＵＥによって送信される複数のサブフレームの数を示す。本装置はまた、決定されたバンドリングサイズに少なくとも部分的に基づいて、複数のサブフレームの狭帯域領域中でＲＡＣＨメッセージを受信するための手段を含む。
【００１４】
[0014]本開示のいくつかの態様は、ワイヤレス通信のための装置を提供する。本装置は、バンドルされたＲＡＣＨメッセージをＵＥが本装置に送信し得る複数のサブフレームを決定することと、複数のサブフレーム内で、ＲＡＣＨメッセージを受信するための少なくとも１つの狭帯域領域を決定することと、ＲＡＣＨメッセージのためのバンドリングサイズを決定することとを行うように構成された少なくとも１つのプロセッサを概して含む。バンドリングサイズは、ＲＡＣＨメッセージがＵＥによって送信される複数のサブフレームの数を示す。本装置はまた、決定されたバンドリングサイズに少なくとも部分的に基づいて、複数のサブフレームの狭帯域領域中でＲＡＣＨメッセージを受信するように構成された受信機を含み得る。本装置は、少なくとも１つのプロセッサに結合されたメモリをさらに含み得る。
【００１５】
[0015]本開示のいくつかの態様は、コンピュータ実行可能コードを記憶したコンピュータ可読媒体を提供する。コンピュータ実行可能コードは、バンドルされたＲＡＣＨメッセージをＵＥがＢＳに送信し得る複数のサブフレームを決定するためのコードと、複数のサブフレーム内で、ＲＡＣＨメッセージを受信するための少なくとも１つの狭帯域領域を決定するためのコードと、ＲＡＣＨメッセージのためのバンドリングサイズを決定するためのコードとを概して含む。バンドリングサイズは、ＲＡＣＨメッセージがＵＥによって送信される複数のサブフレームの数を示す。コンピュータ実行可能コードはまた、決定されたバンドリングサイズに少なくとも部分的に基づいて、複数のサブフレームの狭帯域領域中でＲＡＣＨメッセージを受信するためのコードを含む。
【００１６】
[0016]本開示のいくつかの態様は、ワイヤレス通信のための方法を提供する。本方法は、ＲＡＣＨプリアンブルのセットからＲＡＣＨプリアンブルを選択することと、ＲＡＣＨプリアンブルを備える物理ＲＡＣＨ（ＰＲＡＣＨ）メッセージを送信することと、ＲＡＣＨプリアンブルに少なくとも部分的に基づいてランダムアクセス応答（ＲＡＲ）メッセージを受信するためのＲＡＲリソースを決定することと、ＲＡＲリソース上でＲＡＲメッセージを受信することとを概して含む。
【００１７】
[0017]本開示のいくつかの態様は、ワイヤレス通信のための方法を提供する。本方法は、ＲＡＣＨプリアンブルを備えるＰＲＡＣＨメッセージを受信することと、ＲＡＣＨプリアンブルに少なくとも部分的に基づいてＲＡＲメッセージを送信するためのＲＡＲリソースを選択することとを概して含む。
【００１８】
[0018]本開示のいくつかの態様は、ワイヤレス通信のための装置を提供する。本装置は、ＲＡＣＨプリアンブルのセットからＲＡＣＨプリアンブルを選択するための手段と、ＲＡＣＨプリアンブルを備えるＰＲＡＣＨメッセージを送信するための手段と、ＲＡＣＨプリアンブルに少なくとも部分的に基づいてＲＡＲメッセージを受信するためのＲＡＲリソースを決定するための手段と、ＲＡＲリソース上でＲＡＲメッセージを受信するための手段とを概して含む。
【００１９】
[0019]本開示のいくつかの態様は、ワイヤレス通信のための装置を提供する。本装置は、ＲＡＣＨプリアンブルを備えるＰＲＡＣＨメッセージを受信するための手段と、ＲＡＣＨプリアンブルに少なくとも部分的に基づいてＲＡＲメッセージを送信するためのＲＡＲリソースを選択するための手段とを概して含む。
【００２０】
[0020]本開示のいくつかの態様は、ワイヤレス通信のための装置を提供する。本装置は、少なくとも１つのプロセッサと、少なくとも１つのプロセッサに結合されたメモリと、送信機と、受信機とを含む。少なくとも１つのプロセッサは、ＲＡＣＨプリアンブルのセットからＲＡＣＨプリアンブルを選択することと、送信機を介して、ＲＡＣＨプリアンブルを備えるＰＲＡＣＨメッセージを送信することと、ＲＡＣＨプリアンブルに少なくとも部分的に基づいてＲＡＲメッセージを受信するためのＲＡＲリソースを決定することと、受信機を介して、ＲＡＲリソース上でＲＡＲメッセージを受信することとを行うように構成される。
【００２１】
[0021]本開示のいくつかの態様は、ワイヤレス通信のための装置を提供する。本装置は、少なくとも１つのプロセッサと、少なくとも１つのプロセッサに結合されたメモリと、受信機とを含む。受信機は、ＲＡＣＨプリアンブルを備えるＰＲＡＣＨメッセージを受信するように構成される。少なくとも１つのプロセッサは、ＲＡＣＨプリアンブルに少なくとも部分的に基づいてＲＡＲメッセージを送信するためのＲＡＲリソースを選択するように構成される。
【００２２】
[0022]本開示のいくつかの態様は、ワイヤレス通信のための方法を提供する。本方法は、ＰＲＡＣＨメッセージのためのバンドリングサイズを選択することと、バンドリングサイズに少なくとも部分的に基づいてＰＲＡＣＨメッセージ送信のためのＰＲＡＣＨリソースを決定することと、ＰＲＡＣＨリソースを利用してＰＲＡＣＨメッセージを送信することとを概して含む。
【００２３】
[0023]いくつかの態様では、ＰＲＡＣＨリソースはキャリア帯域幅の狭帯域周波数領域を含み得る。ＰＲＡＣＨリソースを決定することは、バンドリングサイズに少なくとも部分的に基づいて狭帯域周波数領域のセットから狭帯域周波数領域を決定することを含み得る。本方法はまた、システム情報ブロードキャストメッセージから狭帯域周波数領域のセットを識別することを含み得る。本方法は、ＲＡＣＨプリアンブルを選択することをさらに含み得、ここにおいて、ＰＲＡＣＨリソースはＲＡＣＨプリアンブルとは無関係に決定され、およびここにおいて、ＰＲＡＣＨメッセージはＲＡＣＨプリアンブルを備える。
【００２４】
[0024]いくつかの態様では、ＰＲＡＣＨリソースはＲＡＣＨプリアンブルを含み得る。ＰＲＡＣＨリソースを決定することは、バンドリングサイズに少なくとも部分的に基づいてＲＡＣＨプリアンブルのセットからＲＡＣＨプリアンブルを決定することを含み得る。本方法はまた、ＲＡＣＨプリアンブルとは無関係にＰＲＡＣＨメッセージ送信のためのキャリア帯域幅の狭帯域周波数領域を選択することを含み得る。場合によっては、ＲＡＣＨプリアンブルを決定することは、ＲＡＣＨプリアンブルのセットからＲＡＣＨプリアンブルをランダムに選択することを含み得る。
【００２５】
[0025]本方法はまた、バンドリングサイズに少なくとも部分的に基づいてＰＲＡＣＨメッセージの開始送信時間を決定することを含み得る。開始送信時間を決定することは、開始送信時間のセットから開始送信時間をランダムに選択することを含み得る。
【００２６】
[0026]本方法は、ＰＲＡＣＨメッセージのための送信電力を選択することをさらに含み得る。ＰＲＡＣＨリソースは、選択された送信電力に少なくとも部分的に基づいて決定され得る。
【００２７】
[0027]本開示のいくつかの態様は、ワイヤレス通信のための方法を提供する。本方法は、第１のＰＲＡＣＨリソースを利用して送信されたＰＲＡＣＨメッセージを受信することと、ＰＲＡＣＨメッセージのために利用された第１のＰＲＡＣＨリソースに少なくとも部分的に基づいてＰＲＡＣＨメッセージのための第２のＰＲＡＣＨリソースを決定することとを概して含む。第１または第２のＰＲＡＣＨメッセージは、ＲＡＣＨプリアンブル、ＰＲＡＣＨメッセージバンドリングサイズ、狭帯域周波数リソース、または開始送信時間のうちの少なくとも１つを含み得る。
【００２８】
[0028]方法、装置、システム、コンピュータプログラム製品、コンピュータ可読媒体、および処理システムを含む多数の他の態様が提供される。上記および関係する目的を達成するために、１つまたは複数の態様は、以下で十分に説明され特に特許請求の範囲で指摘される特徴を備える。以下の説明および添付の図面は、１つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むことが意図される。
【００２９】
[0029]本開示の上記で具陳された特徴が詳細に理解され得るように、添付の図面にその一部が示されている態様を参照することによって、上記では簡単に要約されたより具体的な説明が得られ得る。しかしながら、添付の図面は本開示のいくつかの典型的態様を図示したものにすぎず、したがって説明は他の等しく有効な態様を許容し得るため、本開示の範囲を制限するものと見なされるべきではないことに留意されたい。
【図面の簡単な説明】
【００３０】
【図１】[0030]本開示のいくつかの態様による、例示的なワイヤレス通信ネットワークを概念的に示すブロック図。
【図２】[0031]本開示のいくつかの態様による、ワイヤレス通信ネットワークにおいてユーザ機器（ＵＥ）と通信している発展型ノードＢ（ｅＮＢ）の一例を概念的に示すブロック図。
【図３】[0032]本開示のいくつかの態様による、ワイヤレス通信ネットワークにおいて使用するための特定の無線アクセス技術（ＲＡＴ）の例示的なフレーム構造を概念的に示すブロック図。
【図４】[0033]本開示のいくつかの態様による、ノーマルサイクリックプレフィックスをもつダウンリンクのための例示的なサブフレームフォーマットを示す図。
【図５Ａ】[0034]本開示のいくつかの態様による、ロングタームエボリューション（ＬＴＥ）などの広帯域システム内のマシンタイプ通信（ＭＴＣ）共存の一例を示す図。
【図５Ｂ】本開示のいくつかの態様による、ロングタームエボリューション（ＬＴＥ）などの広帯域システム内のマシンタイプ通信（ＭＴＣ）共存の一例を示す図。
【図６】[0035]本開示のいくつかの態様による、ＵＥによるワイヤレス通信のための例示的な動作を示す図。
【図７】[0036]本開示のいくつかの態様による、ＢＳによるワイヤレス通信のための例示的な動作を示す図。
【図８】[0037]ＭＴＣおよび／またはｅＭＴＣにおけるランダムアクセス手順のためのコールフローの一例を示す図。
【発明を実施するための形態】
【００３１】
[0038]理解を容易にするために、可能な場合、各図に共通である同じ要素を指定するために同じ参照番号が使用されている。一実施形態で開示される要素は、別段の記載なしに他の実施形態に関して有益に利用され得ることが企図される。
【００３２】
[0039]本開示の態様は、マシンタイプ通信（ＭＴＣ）および／またはｅＭＴＣにおいて動作するデバイスによって使用され得るランダムアクセス手順を提供する。以下でより詳細に説明するように、本明細書で提示される技法は、ＭＴＣおよび／またはｅＭＴＣのデバイスが、ランダムアクセス手順において使用される１つまたは複数のバンドルされたメッセージ（たとえば、ランダムアクセスチャネル（ＲＡＣＨ）プリアンブル、ランダムアクセス応答メッセージ、接続要求メッセージ、および／または競合解消メッセージ）のロケーション、タイミングおよび／またはサイズを決定する（および／または適応させる）ことを可能にし得る。同じく以下でより詳細に説明するように、本明細書で提示される態様はまた、ＭＴＣおよび／またはｅＭＴＣにおいてブロードキャスト送信に優先度を付けるための技法を提供し得る。
【００３３】
[0040]本開示の態様は、ＭＴＣデバイス（たとえば、低コストＭＴＣデバイス、低コストｅＭＴＣデバイス）など、限られた通信リソースをもつデバイスのための技法を提供する。低コストＭＴＣデバイスは、特定の無線アクセス技術（ＲＡＴ）（たとえば、ロングタームエボリューション（ＬＴＥ）など）において他のレガシーデバイスと共存し得、特定のＲＡＴによってサポートされる利用可能なシステム帯域幅の中から区分された１つまたは複数の狭帯域領域上で動作し得る。低コストＭＴＣデバイスはまた、（たとえば、同じメッセージの反復が複数のサブフレームにわたってバンドルまたは送信され得る）カバレージ拡張モード、（たとえば、反復が送信されないことがある）通常カバレージモードなど、様々な動作モードをサポートし得る。
【００３４】
[0041]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどの様々なワイヤレス通信ネットワークに使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡはユニバーサルモバイルテレコミュニケーションシステム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について、以下ではＬＴＥ／ＬＴＥ−Ａに関して説明し、以下の説明の大部分においてＬＴＥ／ＬＴＥ−Ａ用語が使用される。ＬＴＥおよびＬＴＥ−Ａは、一般にＬＴＥと呼ばれる。
【００３５】
[0042]図１は、本開示の態様が実践され得る、基地局（ＢＳ）とユーザ機器（ＵＥ）とをもつ例示的なワイヤレス通信ネットワーク１００を示す。たとえば、ワイヤレス通信ネットワーク１００中の１つまたは複数のＵＥ（たとえば、低コストＭＴＣ  ＵＥ、低コストｅＭＴＣ  ＵＥなど）は、以下でより詳細に説明するように、ワイヤレス通信ネットワークにおいて１つまたは複数のＢＳとの通信を開始するためにランダムアクセス手順を利用し得る。
【００３６】
[0043]本明細書で提示される技法によれば、ワイヤレス通信ネットワーク１００中のｅＮＢ１１０およびＵＥ１２０は、ランダムアクセス手順において使用されるバンドルされたメッセージの各々について、バンドルされたメッセージのロケーション（たとえば、バンドルされたメッセージのために使用され得る、利用可能なシステム帯域幅の中からの、１つまたは複数の狭帯域領域）、タイミング（たとえば、バンドルされたメッセージのために使用され得る１つまたは複数のサブフレーム）、ならびに／あるいはサイズ（たとえば、バンドルされたメッセージのために使用され得る１つまたは複数のサブフレームの数）を決定する（および／または適応させる）ことが可能であり得る。また、様々な態様によれば、ワイヤレス通信ネットワーク１００中で利用され得る、ＭＴＣおよび／またはｅＭＴＣにおける１つまたは複数のブロードキャスト送信は、本明細書で提示される本技法に従って優先度を付けられ得る。
【００３７】
[0044]ワイヤレス通信ネットワーク１００は、ＬＴＥネットワークまたは何らかの他のワイヤレスネットワークであり得る。ワイヤレス通信ネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイント（ＡＰ）などと呼ばれることもある。各ｅＮＢは、特定の地理的エリアに通信カバレッジを提供し得る。３ＧＰＰでは、「セル」という用語は、この用語が使用されるコンテキストに応じて、ｅＮＢのカバレージエリアおよび／またはこのカバレージエリアにサービスしているｅＮＢサブシステムを指すことがある。
【００３８】
[0045]ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ）中のＵＥ）による制限付きアクセスを可能にし得る。マクロセル用のｅＮＢはマクロｅＮＢと呼ばれることがある。ピコセル用のｅＮＢはピコｅＮＢと呼ばれることがある。フェムトセル用のｅＮＢはフェムトｅＮＢまたはホームｅＮＢ（ＨｅＮＢ）と呼ばれることがある。図１に示されている例では、ｅＮＢ１１０ａはマクロセル１０２ａ用のマクロｅＮＢであり得、ｅＮＢ１１０ｂはピコセル１０２ｂ用のピコｅＮＢであり得、ｅＮＢ１１０ｃはフェムトセル１０２ｃ用のフェムトｅＮＢであり得る。ｅＮＢは、１つまたは複数の（たとえば、３つの）セルをサポートし得る。「ｅＮＢ」、「基地局」、および「セル」という用語は、本明細書では互換的に使用され得る。
【００３９】
[0046]ワイヤレス通信ネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対して送信を中継することができるＵＥであり得る。図１に示されている例では、中継（局）ｅＮＢ１１０ｄは、ｅＮＢ１１０ａとＵＥ１２０ｄとの間の通信を可能にするために、マクロｅＮＢ１１０ａおよびＵＥ１２０ｄと通信し得る。中継局は、中継ｅＮＢ、中継基地局、リレーなどと呼ばれることもある。
【００４０】
[0047]ワイヤレス通信ネットワーク１００は、様々なタイプのｅＮＢ、たとえば、マクロｅＮＢ、ピコｅＮＢ、フェムトｅＮＢ、中継ｅＮＢなどを含む異種ネットワークであり得る。これらの異なるタイプのｅＮＢは、異なる送信電力レベルと、異なるカバレージエリアと、ワイヤレスネットワーク１００中の干渉に対する異なる影響とを有し得る。たとえば、マクロｅＮＢは高い送信電力レベル（たとえば、５〜４０Ｗ）を有し得るが、ピコｅＮＢ、フェムトｅＮＢ、および中継ｅＮＢはより低い送信電力レベル（たとえば、０．１〜２Ｗ）を有し得る。
【００４１】
[0048]ネットワークコントローラ１３０は、ｅＮＢのセットに結合し得、これらのｅＮＢの協調および制御を行い得る。ネットワークコントローラ１３０は、バックホールを介してｅＮＢと通信し得る。ｅＮＢはまた、たとえば、ワイヤレスバックホールまたはワイヤラインバックホールを介して直接または間接的に、互いに通信し得る。
【００４２】
[0049]ＵＥ１２０（たとえば、１２０ａ、１２０ｂ、１２０ｃ）はワイヤレス通信ネットワーク１００全体にわたって分散され得、各ＵＥは固定または移動であり得る。ＵＥは、アクセス端末、端末、移動局（ＭＳ）、加入者ユニット、局（ＳＴＡ）などと呼ばれることもある。ＵＥは、セルラーフォン、パーソナル携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブック、エンターテインメントデバイス（たとえば、音楽プレーヤ、ゲームデバイスなど）、カメラ、移動体デバイス、ナビゲーションデバイス、ドローン、ロボット／ロボティックデバイス、ウェアラブルデバイス（たとえば、スマートウォッチ、スマート衣類、スマートリストバンド、スマートリング、スマートブレスレット、スマートグラス、バーチャルリアリティゴーグル）などであり得る。
【００４３】
[0050]ワイヤレス通信ネットワーク１００（たとえば、ＬＴＥネットワーク）中の１つまたは複数のＵＥ１２０はまた、たとえば、低コストＭＴＣ  ＵＥ、低コストｅＭＴＣ  ＵＥなど、低コスト低データレートデバイスであり得る。低コストＵＥは、ＬＴＥネットワークにおいてレガシーおよび／またはアドバンストＵＥと共存し得、ワイヤレスネットワーク中の他のＵＥ（たとえば、非低コストＵＥ）と比較して限定された１つまたは複数の能力を有し得る。たとえば、ＬＴＥネットワーク中のレガシーおよび／またはアドバンストＵＥと比較して、低コストＵＥは、（レガシーＵＥに対する）最大帯域幅の低減、単一の受信無線周波数（ＲＦ）チェーン、ピークレートの低減、送信電力の低減、ランク１送信、半二重動作などのうちの１つまたは複数を伴って動作し得る。本明細書で使用されるとき、ＭＴＣデバイス、ｅＭＴＣデバイスなど、限られた通信リソースをもつデバイスは低コストＵＥと総称される。同様に、レガシーおよび／またはアドバンスト（たとえば、ＬＴＥにおける）ＵＥなど、レガシーデバイスは非低コストＵＥと総称される。
【００４４】
[0051]上述のように、ワイヤレス通信システム中の１つまたは複数のＵＥ１２０は、ｅＮＢ１１０との通信を開始するためにランダムアクセス手順を使用し得る。ランダムアクセス手順は、概して、分離状態もしくは無線障害からの初期アクセス、ランダムアクセス手順を必要とするハンドオーバ、ＵＥ１２０が同期をその後に失ってしまう接続状態中のダウンリンクもしくはアップリンクデータ着信、利用可能な専用スケジューリング要求チャネルがないアップリンクデータ着信および／または他の様々な状況など、様々な状況において使用され得る。ランダムアクセス手順の例としては、ランダムアクセスチャネル（ＲＡＣＨ）上で開始され得る競合ベースランダムアクセス手順、および競合なし（たとえば、非競合ベース）ランダムアクセス手順があり得る。これら２つの手順の違いは、重複するランダムアクセスプリアンブルを使用して失敗の可能性があるか否かであり得る。
【００４５】
[0052]また上述したように、いくつかの態様によれば、ランダムアクセス手順は、ワイヤレス通信ネットワーク１００中でＬＴＥと共存し得るＭＴＣおよび／またはｅＭＴＣにおいても使用され得る。しかしながら、より詳細に説明するように、ＭＴＣおよびｅＭＴＣにおける狭帯域動作および／またはバンドリングのサポートに一部起因して、ＭＴＣおよび／またはｅＭＴＣの１つまたは複数の低コストＵＥ１２０によって使用されるランダムアクセス手順は、非低コストＵＥによって使用されるランダムアクセス手順とは異なり得る。したがって、本明細書で提示される態様は、ＭＴＣおよび／またはｅＭＴＣの低コストＵＥ１２０によって利用され得るランダムアクセス手順のための技法を提供する。
【００４６】
[0053]図２は、図１において、それぞれ、ＢＳ／ｅＮＢ１１０のうちの１つおよびＵＥ１２０のうちの１つであり得る、ＢＳ／ｅＮＢ１１０およびＵＥ１２０の設計のブロック図である。ＢＳ１１０はＴ個のアンテナ２３４ａ〜２３４ｔを装備し得、ＵＥ１２０はＲ個のアンテナ２５２ａ〜２５２ｒを装備し得、一般にＴ≧１およびＲ≧１である。
【００４７】
[0054]ＢＳ１１０において、送信プロセッサ２２０は、１つまたは複数のＵＥについてデータソース２１２からデータを受信し、ＵＥから受信されたチャネル品質インジケータ（ＣＱＩ）に基づいて各ＵＥのための１つまたは複数の変調およびコーディング方式（ＭＣＳ）を選択し、そのＵＥのために選択されたＭＣＳに基づいて各ＵＥのためのデータを処理（たとえば、符号化および変調）し、すべてのＵＥについてデータシンボルを提供し得る。送信プロセッサ２２０はまた、（たとえば、準静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを提供し得る。プロセッサ２２０はまた、基準信号（たとえば、共通基準信号（ＣＲＳ））ならびに同期信号（たとえば、１次同期信号（ＰＳＳ）および２次同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実施し得、Ｔ個の出力シンボルストリームをＴ個の変調器（ＭＯＤ）２３２ａ〜２３２ｔに提供し得る。各ＭＯＤ２３２は、（たとえば、ＯＦＤＭなどのための）それぞれの出力シンボルストリームを処理して、出力サンプルストリームを取得し得る。各ＭＯＤ２３２は、出力サンプルストリームをさらに処理（たとえば、アナログ変換、増幅、フィルタ処理、およびアップコンバート）して、ダウンリンク信号を取得し得る。変調器２３２ａ〜２３２ｔからのＴ個のダウンリンク信号は、それぞれ、Ｔ個のアンテナ２３４ａ〜２３４ｔを介して送信され得る。
【００４８】
[0055]ＵＥ１２０において、アンテナ２５２ａ〜２５２ｒが、ＢＳ１１０および／または他のＢＳからダウンリンク信号を受信し得、受信信号をそれぞれ復調器（ＤＥＭＯＤ）２５４ａ〜２５４ｒに与え得る。各ＤＥＭＯＤ２５４は、それの受信信号を調整（たとえば、フィルタ処理、増幅、ダウンコンバート、およびデジタル化）して、入力サンプルを取得し得る。各ＤＥＭＯＤ２５４は、（たとえば、ＯＦＤＭなどのための）入力サンプルをさらに処理して、受信シンボルを取得し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出シンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、ＣＱＩなどを決定し得る。
【００４９】
[0056]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）ＭＯＤ２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、ＤＥＭＯＤ２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００５０】
[0057]コントローラ／プロセッサ２４０および２８０は、それぞれＢＳ１１０およびＵＥ１２０における動作を指示し得る。たとえば、ＢＳ１１０におけるコントローラ／プロセッサ２４０ならびに／または他のプロセッサおよびモジュールは、図７に示されている動作７００、および／または本明細書で説明する技法のための他のプロセスを実施または指示し得る。同様に、ＵＥ１２０におけるコントローラ／プロセッサ２８０ならびに／または他のプロセッサおよびモジュールは、図６に示されている動作６００、および／または本明細書で説明する技法のためのプロセスを実施または指示し得る。メモリ２４２および２８２は、それぞれＢＳ１１０およびＵＥ１２０のためのデータとプログラムコードとを記憶し得る。スケジューラ２４６は、ダウンリンクおよび／またはアップリンク上でのデータ送信のためにＵＥをスケジューリングし得る。
【００５１】
[0058]図３は、ＬＴＥにおけるＦＤＤのための例示的なフレーム構造３００を示す。ダウンリンクおよびアップリンクの各々の送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。
【００５２】
[0059]ＬＴＥでは、ｅＮＢは、ｅＮＢによってサポートされるセルごとにシステム帯域幅の中心１．０８ＭＨｚにおいてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および捕捉のためにＵＥによって使用され得る。ｅＮＢは、ｅＮＢによってサポートされるセルごとにシステム帯域幅にわたってセル固有基準信号（ＣＲＳ）を送信し得る。ＣＲＳは、各サブフレームのいくつかのシンボル期間中に送信され得、チャネル推定、チャネル品質測定、および／または他の機能を実施するためにＵＥによって使用され得る。ｅＮＢはまた、いくつかの無線フレームのスロット１中のシンボル期間０〜３中で物理ブロードキャストチャネル（ＰＢＣＨ）を送信し得る。ＰＢＣＨは何らかのシステム情報を搬送し得る。ｅＮＢは、いくつかのサブフレームにおいて物理ダウンリンク共有チャネル（ＰＤＳＣＨ）上でシステム情報ブロック（ＳＩＢ）などの他のシステム情報を送信し得る。ｅＮＢは、サブフレームの最初のＢ個のシンボル期間において物理ダウンリンク制御チャネル（ＰＤＣＣＨ）上で制御情報／データを送信し得、ここで、Ｂはサブフレームごとに構成可能であり得る。ｅＮＢは、各サブフレームの残りのシンボル期間においてＰＤＳＣＨ上でトラフィックデータおよび／または他のデータを送信し得る。
【００５３】
[0060]ＬＴＥにおけるＰＳＳ、ＳＳＳ、ＣＲＳ、およびＰＢＣＨは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００５４】
[0061]図４は、ノーマルサイクリックプレフィックスをもつ、ダウンリンクのための２つの例示的なサブフレームフォーマット４１０および４２０を示す。ダウンリンクのための利用可能な時間周波数リソースは、リソースブロックに区分され得る。各リソースブロックは、１つのスロット中で１２個のサブキャリアをカバーし得、いくつかのリソース要素を含み得る。各リソース要素は、１つのシンボル期間中で１つのサブキャリアをカバーし得、実数値または複素数値であり得る１つの変調シンボルを送るために使用され得る。
【００５５】
[0062]サブフレームフォーマット４１０は、２つのアンテナを装備したｅＮＢのために使用され得る。ＣＲＳは、シンボル期間０、４、７、および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成された、セルに固有の基準信号である。図４では、ラベルＲａを有する所与のリソース要素に関して、アンテナａからはそのリソース要素上で変調シンボルが送信され得、他のアンテナからはそのリソース要素上で変調シンボルが送信されないことがある。サブフレームフォーマット４２０は、４つのアンテナを装備したｅＮＢのために使用され得る。ＣＲＳは、シンボル期間０、４、７および１１中にアンテナ０および１から送信され得、シンボル期間１および８中にアンテナ２および３から送信され得る。サブフレームフォーマット４１０と４２０の両方に関して、ＣＲＳは、セルＩＤに基づいて決定され得る、均等に離間したサブキャリア上で送信され得る。様々なｅＮＢが、それらのセルＩＤに応じて、同じまたは異なるサブキャリア上でそれらのＣＲＳを送信し得る。サブフレームフォーマット４１０と４２０の両方に関して、ＣＲＳのために使用されないリソース要素は、データ（たとえば、トラフィックデータ、制御データ、および／または他のデータ）を送信するために使用され得る。
【００５６】
[0063]ＬＴＥにおけるＦＤＤのためのダウンリンクとアップリンクとの各々のためにインターレース構造が使用され得る。たとえば、０〜Ｑ−１のインデックスをもつＱ個のインターレースが定義され得、ここで、Ｑは、４、６、８、１０、または何らかの他の値に等しくなり得る。各インターレースは、Ｑ個のフレームだけ離間したサブフレームを含み得る。特に、インターレースｑは、サブフレームｑ、ｑ＋Ｑ、ｑ＋２Ｑなどを含み得、ここでｑ∈｛０，．．．，Ｑ−１｝である。
【００５７】
[0064]ワイヤレスネットワークは、ダウンリンクおよびアップリンクにおけるデータ送信のためのハイブリッド自動再送要求（ＨＡＲＱ）をサポートし得る。ＨＡＲＱの場合、送信機（たとえば、ｅＮＢ１１０）は、パケットが受信機（たとえば、ＵＥ１２０）によって正しく復号されるまで、または何らかの他の終了条件に遭遇するまで、そのパケットの１つまたは複数の送信信号を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００５８】
[0065]ＵＥは、複数のｅＮＢのカバレージ内に位置し得る。そのＵＥにサービスするために、これらのｅＮＢのうちの１つが選択され得る。サービングｅＮＢは、受信信号強度、受信信号品質、経路損失など、様々な基準に基づいて選択され得る。受信信号品質は、信号対干渉プラス雑音比（ＳＩＮＲ）、または基準信号受信品質（ＲＳＲＱ）、または何らかの他のメトリックによって定量化され得る。ＵＥは、ＵＥが１つまたは複数の干渉ｅＮＢからの高い干渉を観測し得る支配的干渉シナリオにおいて動作し得る。
【００５９】
[0066]上述のように、ワイヤレス通信ネットワーク（たとえば、ワイヤレス通信ネットワーク１００）中の１つまたは複数のＵＥは、ワイヤレス通信ネットワーク中の他の（非低コスト）デバイスと比較して、低コストＵＥなど、限られた通信リソースを有するデバイスであり得る。
【００６０】
[0067]いくつかのシステムでは、たとえば、ＬＴＥ  Ｒｅｌ−１３では、低コストＵＥは、利用可能なシステム帯域幅内で（たとえば、６つ以下のリソースブロック（ＲＢ）の）特定の狭帯域割当てに限定され得る。しかしながら、低コストＵＥは、たとえば、ＬＴＥシステム内で共存するために、ＬＴＥシステムの利用可能なシステム帯域幅内の異なる狭帯域領域に再チューニングする（たとえば、動作および／またはキャンピングする）ことが可能であり得る。
【００６１】
[0068]ＬＴＥシステム内の共存の別の例として、低コストＵＥは、レガシー物理ブロードキャストチャネル（ＰＢＣＨ）（たとえば、概して、セルへの初期アクセスのために使用され得るパラメータを搬送するＬＴＥ物理チャネル）を（反復して）受信し、１つまたは複数のレガシー物理ランダムアクセスチャネル（ＰＲＡＣＨ）フォーマットをサポートすることができる。たとえば、低コストＵＥは、複数のサブフレームにわたってＰＢＣＨの１つまたは複数の追加の反復を伴ってレガシーＰＢＣＨを受信することができる。別の例として、低コストＵＥは、ＬＴＥシステム中のｅＮＢ（たとえば、ｅＮＢ１１０）に、（たとえば、サポートされる１つまたは複数のＰＲＡＣＨフォーマットをもつ）ＰＲＡＣＨの１つまたは複数の反復を送信することができる。ＰＲＡＣＨは、低コストＵＥを識別するために使用され得る。また、反復されるＰＲＡＣＨ試行の数はｅＮＢによって構成され得る。
【００６２】
[0069]低コストＵＥはまた、リンクバジェット限定デバイスであり得、それのリンクバジェット限定に基づいて（たとえば低コストＵＥにまたはそこから送信されるメッセージのための異なる数の反復を使用して）異なる動作モードで動作し得る。たとえば、場合によっては、低コストＵＥは、反復がほとんどからまったくない（たとえば、ＵＥがメッセージを正常に受信および／または送信するのに必要とされる反復の量が低くなり得るか、あるいは反復が不要でさえあり得る）通常カバレージモードで動作し得る。代替的に、場合によっては、低コストＵＥは、高い量の反復があり得るカバレージ拡張（ＣＥ）モードで動作し得る。たとえば、３２８ビットペイロードの場合、ＣＥモードにおける低コストＵＥは、ペイロードを正常に送信および／または受信するためにペイロードの１５０個またはそれ以上の反復を必要とし得る。
【００６３】
[0070]場合によっては、たとえば、ＬＴＥ  Ｒｅｌ−１３では、低コストＵＥは、（たとえば、システム情報ブロック（ＳＩＢ）、ページングメッセージ、ランダムアクセス応答（ＲＡＲ）メッセージなどについての）ブロードキャスト送信とユニキャスト送信とのそれの受信に関して限られた能力を有し得る。たとえば、低コストＵＥによって受信されるブロードキャスト送信のための最大トランスポートブロック（ＴＢ）サイズは、１０００ビットに限定され得る。さらに、場合によっては、低コストＵＥは、サブフレーム中で２つ以上のユニキャストＴＢを受信することが不可能であり得る。場合によっては（たとえば、上記で説明したＣＥモードと通常モードの両方に関して）、低コストＵＥは、サブフレーム中で２つ以上のブロードキャストＴＢを受信することが不可能であり得る。さらに、場合によっては、低コストＵＥは、サブフレーム中でユニキャストＴＢとブロードキャストＴＢの両方を受信することが不可能であり得る。
【００６４】
[0071]ＭＴＣでは、ＬＴＥシステムにおいて共存する低コストＵＥはまた、ページング、ランダムアクセス手順、ブロードキャストシステム情報の受信など、いくつかの手順のための新しいメッセージをサポートし得る（たとえば、これらの手順のためにＬＴＥにおいて使用される従来のメッセージとは対照的に）。言い換えれば、ページング、ランダムアクセス手順などのためのこれらの新しいメッセージは、非低コストＵＥに関連する同様の手順のために使用されるメッセージとは別個であり得る。たとえば、ＬＴＥにおいて使用される従来のページングメッセージと比較して、低コストＵＥは、非低コストＵＥが監視および／または受信することが不可能であり得るページングメッセージを監視および／または受信することが可能であり得る。同様に、従来のランダムアクセス手順において使用される従来のＲＡＲメッセージと比較して、低コストＵＥは、非低コストＵＥが受信することが不可能であり得るＲＡＲメッセージを受信することが可能であり得る。低コストＵＥに関連する新しいページングおよびＲＡＲメッセージはまた、１回または複数回反復（たとえば、バンドル）され得る。さらに、新しいメッセージのための異なる数の反復（たとえば、異なるバンドリングサイズ）がサポートされ得る。
【００６５】
広帯域システム内の例示的なＭＴＣ共存
[0072]上述のように、ワイヤレス通信ネットワーク（たとえば、ワイヤレス通信ネットワーク１００）中で（たとえば、ＬＴＥまたは何らかの他のＲＡＴとの共存において）ＭＴＣおよび／またはｅＭＴＣ動作がサポートされ得る。図５Ａおよび図５Ｂは、たとえば、ＭＴＣ動作における低コストＵＥがＬＴＥなどの広帯域システム内でどのように共存し得るかの一例を示す。
【００６６】
[0073]図５Ａの例示的なフレーム構造５００Ａに示されているように、ＭＴＣおよび／またはｅＭＴＣ動作に関連するサブフレーム５０２は、ＬＴＥ（または何らかの他のＲＡＴ）に関連する通常サブフレーム５０４で時分割多重化（ＴＤＭ）され得る。図示のように、例示的な一実装形態では、（ｅ）ＭＴＣ動作に関連するサブフレーム５０２の数は、通常サブフレーム５０４の数と比較して比較的小さくなり得る。
【００６７】
[0074]追加または代替として、図５Ｂのサブフレーム５００Ｂの例示的なフレーム構造に示されているように、ＭＴＣにおける低コストＵＥによって使用される１つまたは複数の狭帯域は、ＬＴＥによってサポートされるより広い帯域幅内で周波数分割多重化（ＦＤＭ）され得る。ＭＴＣおよび／またはｅＭＴＣ動作のために複数の狭帯域領域がサポートされ得、各狭帯域領域は、合計６つ以下のＲＢである帯域幅にわたる。場合によっては、ＭＴＣ動作の各低コストＵＥは、一度に１つの狭帯域領域内で（たとえば、１．４ＭＨｚまたは６つのＲＢにおいて）動作し得る。しかしながら、ＭＴＣ動作における低コストＵＥは、所与の時間に、より広いシステム帯域幅中の他の狭帯域領域に再チューニングし得る。いくつかの例では、複数の低コストＵＥは同じ狭帯域領域によってサービスされ得る。他の例では、複数の低コストＵＥは、（たとえば、各狭帯域領域が６つのＲＢにわたる）異なる狭帯域領域によってサービスされ得る。また他の例では、低コストＵＥの異なる組合せが、１つまたは複数の同じ狭帯域領域ならびに／あるいは１つまたは複数の異なる狭帯域領域によってサービスされ得る。
【００６８】
[0075]図５Ｂに示されているように、サブフレーム５００Ｂにおいて、低コストＵＥは、レガシー制御情報については広帯域領域５０６を監視し、データについては広帯域領域５０８Ａおよび５０８Ｂを監視することができる。低コストＵＥは、狭帯域領域内で様々な異なる動作のために動作（たとえば、監視／受信／送信）し得る。たとえば、図５Ｂに示されているように、（たとえば、６つ以下のＲＢにわたる）サブフレームの第１の狭帯域領域５１０は、１つまたは複数の低コストＵＥによって、ワイヤレス通信ネットワークにおいてＢＳからの１次同期信号（ＰＳＳ）、２次同期信号（ＳＳＳ）、物理ブロードキャストチャネル（ＰＢＣＨ）、ＭＴＣシグナリング、またはページング送信のうちのいずれかのために監視され得る。同じく図５Ｂに示されているように、低コストＵＥは、ＢＳから受信されたシグナリング中で前に構成されたＲＡＣＨまたはデータを送信するためにサブフレームの（たとえば、同じく６つ以下のＲＢにわたる）第２の狭帯域領域５１２に再チューニングすることができる。場合によっては、第２の狭帯域領域５１２は、第１の狭帯域領域５１０を利用したのと同じ低コストＵＥによって利用され得る（たとえば、低コストＵＥは、第１の狭帯域領域において監視した後に送信するために第２の狭帯域領域に再チューニングしていることがある）。（図示されていないが）いくつかの場合、第２の狭帯域領域５１２は、第１の狭帯域領域５１０を利用した低コストＵＥとは異なる低コストＵＥによって利用され得る。
【００６９】
[0076]本明細書で説明する例では６つのＲＢの狭帯域を仮定するが、本明細書で提示される技法は異なるサイズの狭帯域領域にも適用され得ることを当業者は認識されよう。
【００７０】
ｅＭＴＣのための例示的なランダムアクセス手順
[0077]上述のように、いくつかのシステム（たとえば、ＬＴＥ  Ｒｅｌ−１３システム）では、ｅＭＴＣのための狭帯域動作がサポートされ得る。さらに、同じく上述のように、メッセージが低コストＵＥによって正常に受信および／または送信された前に反復の異なる量を使用し得る、ｅＭＴＣにおける低コストＵＥなど、低コストデバイスのための異なる動作モードもサポートされ得る。
【００７１】
[0078]いくつかの態様によれば、ＭＴＣおよび／またはｅＭＴＣにおけるランダム接続手順はまた、ランダムアクセス手順において使用される異なるメッセージのために狭帯域動作および異なる量のバンドリングを使用し得る。たとえば、図８に示されているように、ｅＭＴＣにおける低コストＵＥおよび／またはｅＮＢは、ランダムアクセス手順において、バンドルされた（たとえば、１つまたは複数の反復）ランダムアクセスチャネル（ＲＡＣＨ）プリアンブル（ＭＴＣ＿ＭＳＧ１）、バンドルされたランダムアクセス応答（ＲＡＲ）メッセージ（ＭＴＣ＿ＭＳＧ２）、バンドルされた接続要求メッセージ（ＭＴＣ＿ＭＳＧ３）、および／またはバンドルされた競合解消メッセージ（ＭＴＣ＿ＭＳＧ４）を使用（たとえば、監視／送信／受信）し得る。さらに、ランダムアクセス手順において使用されるバンドルされたメッセージの各々は、複数のサブフレームにおいて、および利用可能なシステム帯域幅の中から区分された１つまたは複数の狭帯域において送信／受信され得る。さらに、バンドルされたメッセージの各々のバンドリングサイズ（たとえば、バンドルされたメッセージの各々が送信される複数のサブフレームの数）は変化し得る。
【００７２】
[0079]したがって、いくつかの状況では、これらの特徴のサポートにより、ＢＳおよび／または低コストＵＥは、ランダムアクセス手順において使用されるバンドルされたメッセージの各々が送信／受信される特定の様式（たとえば、ロケーション、タイミング、および量）を知ることが有用であり得る。
【００７３】
[0080]したがって、上述のように、本明細書で提示される態様は、低コストＵＥおよびＢＳが、ランダムアクセス手順において使用されるバンドルされたメッセージの各々について、バンドルされたメッセージのロケーション（たとえば、バンドルされたメッセージのために使用され得る、利用可能なシステム帯域幅の中からの、１つまたは複数の狭帯域領域）、タイミング（たとえば、バンドルされたメッセージのために使用され得る１つまたは複数のサブフレーム）、ならびに／あるいはサイズ（たとえば、バンドルされたメッセージのために使用され得る１つまたは複数のサブフレームの数）を決定する（および／または適応させる）ことを可能にする技法を提供する。
【００７４】
[0081]図６は、本開示のいくつかの態様による、ワイヤレス通信のための例示的な動作６００を示す。動作６００は、図１および図２に示されているＵＥ１２０のうちの１つであり得る、低コストＵＥなどのＵＥによって実施され得る。
【００７５】
[0082]動作６００は６０２において開始し得、ここで、ＵＥは、バンドルされたＲＡＣＨメッセージをＵＥがＢＳに送信し得る複数のサブフレームを決定する。６０４において、ＵＥは、サブフレーム内で、ＲＡＣＨメッセージを送信するための少なくとも１つの狭帯域領域を決定する。６０６において、ＵＥは、ＲＡＣＨメッセージのためのバンドリングサイズを決定し、バンドリングサイズは、ＲＡＣＨメッセージが送信される複数のサブフレームの数を示す。６０８において、ＵＥは、決定されたバンドリングサイズに少なくとも部分的に基づいて、複数のサブフレームの狭帯域領域中でＲＡＣＨメッセージを送信する。
【００７６】
[0083]図７は、本開示のいくつかの態様による、ワイヤレス通信のための例示的な動作７００を示す。動作７００は、図１および図２に示されているＢＳ／ｅＮＢ１１０のうちの１つなど、ＢＳによって実施され得る。
【００７７】
[0084]動作７００は７０２において開始し得、ここで、ＢＳは、バンドルされたＲＡＣＨメッセージをＵＥ（たとえば、低コストＵＥ）がＢＳに送信し得る複数のサブフレームを決定する。７０４において、ＢＳは、サブフレーム内で、ＲＡＣＨメッセージを受信するための少なくとも１つの狭帯域領域を決定する。７０６において、ＢＳは、ＲＡＣＨメッセージのためのバンドリングサイズを決定し、バンドリングサイズは、ＲＡＣＨメッセージがＵＥによって送信される複数のサブフレームの数を示す。７０８において、ＢＳは、決定されたバンドリングサイズに少なくとも部分的に基づいて、複数のサブフレームの狭帯域領域中でＲＡＣＨメッセージを受信する。
【００７８】
[0085]図８は、ＭＴＣおよび／またはｅＭＴＣにおけるランダムアクセス手順のためのコールフロー８００の一例を示す。図８に示されているｅＮＢおよびＭＴＣデバイス（たとえば、低コストＵＥ）は、たとえば、それぞれ、図１〜図２に示されているＢＳ／ｅＮＢ１１０およびＵＥ１２０のいずれかであり得る。
【００７９】
[0086]（ＭＴＣ、ｅＭＴＣなどにおける）ランダムアクセス手順の１つの参照例では、８０２において、ＵＥ１２０は、（たとえば、ｅＮＢとの通信を開始するなどのために）バンドルされたＲＡＣＨプリアンブル（たとえば、ＭＴＣ＿ＭＳＧ１）をｅＮＢ１１０に送信する。ＵＥは、ＲＡＣＨプリアンブルのセットからＲＡＣＨメッセージのためのＲＡＣＨプリアンブルを選択し得る。ＵＥは、（選択されたＲＡＣＨプリアンブルを含む）バンドルされたＲＡＣＨメッセージをｅＮＢに送信し得る。いくつかの態様によれば、ＵＥ１２０は、１つまたは複数の異なるバンドリングサイズ（たとえば、１、２、３などのバンドリングサイズ）でバンドルされたＲＡＣＨメッセージをｅＮＢ１１０に送信する。たとえば、場合によっては、バンドルされたＲＡＣＨメッセージのために使用されるバンドリングの量は、ＵＥ１２０が動作している特定のカバレージモード（たとえば、ＣＥモード、通常モードなど）に少なくとも部分的に基づき得る。上述のように、ＵＥ１２０が通常モードで動作するとき、ＵＥ１２０は、ＵＥ１２０がＣＥモードで動作しているときに使用するバンドリングの量に対してより低い量のバンドリングを使用し得る。概して、しかしながら、ＵＥ１２０および／またはｅＮＢ１１０は、異なるカバレージ拡張のために複数のバンドルサイズをサポートし得る。
【００８０】
[0087]したがって、本明細書で提示される態様は、ＵＥ１２０および／またはｅＮＢ１１０が、ランダムアクセス手順においてｅＮＢ１１０に送信されるバンドルされたＲＡＣＨメッセージのためのバンドリングサイズを決定することを可能にする技法を提供する。一態様では、ＵＥ１２０および／またはｅＮＢ１１０は、ｅＮＢ１１０からのブロードキャストシグナリングに少なくとも部分的に基づいて、バンドルされたＲＡＣＨメッセージのためのバンドリングサイズを決定し得る。上述のように、バンドリングサイズを示すために使用されるブロードキャストシグナリングは、非低コストＵＥにシステム情報を示すために使用されるブロードキャストシグナリングとは別個であるブロードキャストシグナリングであり得る。
【００８１】
[0088]いくつかの態様によれば、ＵＥ１２０および／またはｅＮＢ１１０は、利用可能なシステム帯域幅の中から区分された１つまたは複数の狭帯域領域のロケーションに少なくとも部分的に基づいて、バンドルされたＲＡＣＨメッセージのためのバンドリングサイズを決定し得る。たとえば、場合によっては、１つまたは複数の狭帯域領域の各々は、ＲＡＣＨ送信のために使用され得る固定バンドリングサイズを有し得る。場合によっては、狭帯域領域の各々は、ＲＡＣＨ送信のために異なる固定バンドリングサイズを有し得る。場合によっては、１つまたは複数の狭帯域領域は、１つまたは複数の他の狭帯域領域と同じ固定バンドリングサイズを有し得る。
【００８２】
[0089]いくつかの態様では、１つまたは複数の狭帯域領域は、ＵＥ１２０のために異なるカバレージモードをサポートし得、ＲＡＣＨ送信のためのバンドリングサイズは、ＵＥ１２０のための特定のカバレージモードをサポートする１つまたは複数の狭帯域領域に少なくとも部分的に基づいて決定され得る。たとえば、場合によっては、ＵＥ１２０が通常カバレージモードで動作している場合、ＵＥ１２０は、それの通常カバレージモードをサポートする１つまたは複数の狭帯域領域を識別し得る。ＵＥ１２０は、次いで、たとえば、通常カバレージモードをサポートする１つまたは複数の狭帯域領域によって使用される固定バンドリングサイズに少なくとも部分的に基づいて、ＲＡＣＨ送信のためのバンドリングサイズを決定し得る。同様の例は、ＵＥ１２０のＣＥモードおよび／または他のモードについて適用され得る。
【００８３】
[0090]いくつかの態様によれば、ＵＥ１２０および／またはｅＮＢ１１０は、バンドルされたＲＡＣＨメッセージの開始サブフレームに少なくとも部分的に基づいて、バンドルされたＲＡＣＨメッセージのためのバンドリングサイズを決定し得る。たとえば、１つまたは複数の狭帯域領域の各々内で、複数のバンドリングサイズがサポートされ得る。ある場合には、特定の狭帯域領域内で、サブフレームの第１のセットは、ＲＡＣＨ送信のために特定のバンドリングサイズを有し得、サブフレームの第２のセットは、他の送信のために別のバンドリングサイズを有し得る。これらの場合、１つまたは複数の狭帯域領域の各々内で、バンドルされたＲＡＣＨ送信のために使用されるバンドリングサイズは、バンドルされたＲＡＣＨ送信がそれにおいて開始し得るサブフレームに応じて（たとえば、サブフレームの第１のセットにおいて）変化し得る。
【００８４】
[0091]いくつかの態様によれば、ＵＥ１２０および／またはｅＮＢ１１０は、低コストＵＥの（たとえば、ＣＥモードのための）推定ＣＥターゲットに少なくとも部分的に基づいて、バンドルされたＲＡＣＨメッセージのためのバンドリングサイズを決定し得る。たとえば、ＵＥ１２０（および／またはｅＮＢ１１０）は、ＵＥ１２０とｅＮＢ１１０との間の無線状態の品質に少なくとも部分的に基づいてＲＡＣＨ送信のために使用され得る推定ＣＥターゲットを識別し得る。ある場合には、ＵＥ１２０は、推定ＣＥターゲットを決定するためにダウンリンク（ＤＬ）経路損失を使用し得る。たとえば、ＤＬ経路損失に基づいて、ＵＥ１２０は、ＵＥ１２０が、バンドルされたＲＡＣＨのためにＣＥモードで動作し、（たとえば、通常モードのために使用されるバンドリングサイズと比較して）比較的大きいバンドリングサイズを使用すべきであると決定し得る。他の例では、ＵＥ１２０は、（たとえば、他の品質測定値に基づいて）バンドルされたＲＡＣＨのために１つまたは複数の他のバンドリングサイズを決定し得る。
【００８５】
[0092]いくつかの態様によれば、ＵＥ１２０および／またはｅＮＢ１１０は、前に送信されたバンドルされたＲＡＣＨメッセージを正常に復号することのｅＮＢ１１０の成功または失敗に基づいて、バンドルされたＲＡＣＨメッセージのためのバンドリングサイズを決定し得る。たとえば、場合によっては、ＵＥ１２０が、前に送信されたバンドルされたＲＡＣＨ（たとえば、ＭＴＣ＿ＭＳＧ１）についてｅＮＢ１１０からのランダムアクセス応答（ＲＡＲ）メッセージを正常に復号した場合、ＵＥ１２０は、（ＭＴＣ＿ＭＳＧ１など、前に送信されたバンドルされたＲＡＣＨメッセージを復号することのｅＮＢ１１０の）成功を決定し得る。同様に、場合によっては、ＵＥ１２０は、ＵＥ１２０が、前に送信されたバンドルされたＲＡＣＨについてｅＮＢ１１０からのＲＡＲメッセージを正常に復号することが不可能であった場合、（前に送信されたバンドルされたＲＡＣＨメッセージを復号することのｅＮＢ１１０の）失敗を決定し得る。場合によっては（たとえば、ＵＥ１２０が失敗を決定した場合）、ＵＥ１２０は、前のバンドルされたＲＡＣＨメッセージを正常に復号することのｅＮＢ１１０の失敗に応答して、前のバンドルされたＲＡＣＨメッセージのために使用されるバンドリングサイズに対してバンドリングサイズを増加させ得る。
【００８６】
[0093]追加または代替として、場合によっては、前のバンドルされたＲＡＣＨメッセージを正常に復号することのｅＮＢ１１０の失敗に応答して、ＵＥ１２０は、前のバンドルされたＲＡＣＨメッセージを送信するために使用される送信電力に対して送信電力を増加させ得る。いくつかの態様では、送信電力は、前のバンドルされたＲＡＣＨメッセージのために使用されるバンドリングサイズ、および／またはその後に送信されるバンドルされたＲＡＣＨメッセージのために使用されるバンドリングサイズについて増加され得る。さらに、バンドルされたＲＡＣＨメッセージを送信するとき、ＵＥ１２０におけるＲＡＣＨカウンタは、（たとえば、単一のバンドルされたＲＡＣＨ内で送信されるＲＡＣＨメッセージごとに増加されるのとは対照的に）バンドルされたＲＡＣＨメッセージごとに１回のみ増加され得る。
【００８７】
[0094]上述のように、本明細書で提示される態様はまた、ＵＥ１２０および／またはｅＮＢ１１０が、バンドルされたＲＡＣＨをＵＥ１２０がｅＮＢ１１０に送信し得る複数のサブフレームを決定することを可能にする技法を提供する。一態様では、複数のサブフレームは、バンドルされたＲＡＣＨメッセージの開始サブフレームとして利用可能な特定のサブフレームに少なくとも部分的に基づいて決定され得る。
【００８８】
[0095]たとえば、ＵＥ１２０および／またはｅＮＢ１１０がバンドルされたＲＡＣＨのために４のバンドリングサイズを決定した場合、ある場合には、各バンドルされたＲＡＣＨ送信はサブフレーム０、４、８などにおいて開始し得る（たとえば、ここで、バンドルされたＲＡＣＨの各ＲＡＣＨ送信は、連続するサブフレーム中で行われる）。別の場合には、たとえば、バンドルされたＲＡＣＨのために４の同じバンドリングサイズを用いると、バンドルされたＲＡＣＨ送信の各ＲＡＣＨ送信はサブフレーム０、２、４、６などにおいて開始し得る（たとえば、ここで、バンドルされたＲＡＣＨの各ＲＡＣＨ送信は、連続しないサブフレーム中で行われる）。概して、しかしながら、各バンドルされたＲＡＣＨ送信のための開始サブフレームの決定は、フレームにおいて使用される特定のサブフレームアップリンク／ダウンリンク構成に少なくとも部分的に基づき得る。
【００８９】
[0096]図８に示されているように、ランダムアクセス手順の一部として、８０４において、ｅＮＢ１１０は、ＵＥ１２０からバンドルされたＲＡＣＨメッセージを受信したことに応答して、バンドルされたＲＡＲメッセージ（たとえば、ＭＴＣ＿ＭＳＧ２）をＵＥ１２０に送信する。ＵＥは、ＲＡＣＨプリアンブルに少なくとも部分的に基づいてＲＡＲメッセージを受信するためのＲＡＲリソースを決定し、そのＲＡＲリソース上でＲＡＲメッセージを受信する。ＲＡＲリソースは、キャリア帯域幅の狭帯域周波数領域、開始送信時間、開始サブフレーム、またはバンドリングサイズのうちの少なくとも１つを含み得る。場合によっては、バンドルされたＲＡＲメッセージはＨＡＲＱをサポートしないことがある。図８に示されているように、バンドルされたＲＡＲメッセージのためのバンドリングサイズは、バンドルされたＲＡＣＨメッセージに少なくとも部分的に基づき得る。
【００９０】
[0097]いくつかの態様では、ＵＥはまた、ＲＡＣＨプリアンブルに少なくとも部分的に基づいて１つまたは複数の制御チャネル復号候補を識別し、１つまたは複数の制御チャネル候補をブラインド復号し得る。場合によっては、１つまたは複数の制御チャネル復号候補を識別することは、アグリゲーションレベル（たとえば、制御チャネル要素（ＣＣＥ）および／または拡張制御チャネル要素（ｅＣＣＥ）の数）、ＲＡＲメッセージバンドリングサイズ、あるいはＲＡＲメッセージパケットサイズのうちの少なくとも１つを決定することを含み得る。ＵＥは、ＲＡＣＨプリアンブルに少なくとも部分的に基づいてＲＡＲメッセージパケットサイズを決定し得る。場合によっては、ＵＥは、ＲＡＲメッセージのバンドリングサイズに少なくとも部分的に基づいてＲＡＣＨプリアンブルを選択し得る。
【００９１】
[0098]いくつかの態様では、ＵＥ１２０および／またはｅＮＢ１１０は、ＵＥによって選択されたＲＡＣＨメッセージに少なくとも部分的に基づいて、バンドルされたＲＡＲメッセージのためのバンドリングサイズおよび／または狭帯域領域を決定し得る。ＲＡＲメッセージバンドリングサイズおよび／または狭帯域領域は、バンドルされたＲＡＣＨメッセージの狭帯域領域またはバンドリングサイズのうちの少なくとも１つにさらに依存し得る。たとえば、場合によっては、バンドルされたＲＡＲメッセージのバンドリングサイズは、低コストＵＥから受信されたバンドルされたＲＡＣＨメッセージのバンドリングサイズ（たとえば、図８に示されている一実装形態では４のバンドリングサイズ）と同じであり得る。場合によっては、バンドルされたＲＡＲメッセージのバンドリングサイズは、バンドルされたＲＡＣＨメッセージを送信するために狭帯域領域のうちの１つまたは複数中で使用されるバンドリングサイズから決定され得る。場合によっては、ＲＡＲメッセージのバンドリングサイズはＰＲＡＣＨメッセージのバンドリングサイズに依存しないことがある。
【００９２】
[0099]いくつかの態様では、ＲＡＲメッセージの制御および／またはデータ部分がバンドルされ得る。たとえば、ＲＡＲメッセージの制御部分は、ＲＡＲメッセージのデータ部分のために使用されるバンドリングサイズと同じまたは異なるバンドリングサイズを有し得る。いくつかの態様では、（たとえば、ｅＰＤＣＣＨ上の）ＲＡＲメッセージの制御部分のためのバンドリングサイズおよび／または狭帯域領域は、ＵＥによって選定されたそれぞれのＲＡＣＨメッセージの少なくとも１つのプロパティに少なくとも部分的に基づいて暗黙的に決定され得る。たとえば、ＲＡＲメッセージの制御部分のために使用される狭帯域領域および／またはＲＡＲメッセージの制御部分を送信するために使用されるバンドリングサイズの決定は、ＲＡＣＨメッセージを送信するために使用されるバンドリングサイズおよび／または狭帯域領域に少なくとも部分的に基づき得る。場合によっては、ＲＡＣＨメッセージのために使用されるバンドリングサイズおよび／または狭帯域領域と、ＲＡＲメッセージの制御部分のために使用されるバンドリングサイズおよび／または狭帯域領域とからの１対１マッピングがあり得る。
【００９３】
[00100]いくつかの態様によれば、バンドルされたＲＡＲメッセージのタイミングは、ＲＡＣＨメッセージのバンドリングサイズに少なくとも部分的に基づき得る。たとえば、バンドルされたＲＡＣＨメッセージを送信した後に、ＵＥ１２０は、バンドルされたＲＡＣＨの送信に続いてある時間期間内にバンドルされたＲＡＲメッセージを予想し得る。
【００９４】
[00101]（たとえば、非低コストＵＥによって使用される）従来のランダムアクセス手順では、時間期間は一定の時間期間（たとえば、約１０ｍｓ）の間のみ持続し得る。しかしながら、ｅＭＴＣでは、バンドリング、サブフレーム構成などにより、この時間期間は、低コストＵＥが、バンドルされたＲＡＲが正常に受信されたか否かを検出するのに十分な時間期間でないことがある。たとえば、上述のように、部分的に十分なバンドリングに対して、（制御部分を含む）ＲＡＲの第１のサブフレームは特定のサブフレームにおいて開始する必要があり得る。
【００９５】
[00102]したがって、本明細書で提示される技法は、低コストＵＥがＲＡＣＨ失敗を宣言することなしにバンドルされたＲＡＲ送信を検出するためのより多くの時間を可能にするために、（たとえば、ｅＭＴＣにおける）時間期間が拡張されることを可能にし得る。場合によっては、バンドルされたＲＡＲメッセージに対処するために使用されるランダムアクセス無線ネットワーク一時識別子（ＲＡ−ＲＮＴＩ：random access radio network temporary identifier）のために使用される計算は、レガシーランダムアクセス手順において使用される計算とは異なり得る。たとえば、ｅＭＴＣでは、ＲＡ−ＲＮＴＩ計算は、バンドルされたＲＡＣＨが開始したかあるいはそれが終了したサブフレームを使用し得る。
【００９６】
[00103]いくつかの態様では、バンドルされたＲＡＲは、接続要求メッセージを送信するための許可を提供する。たとえば、バンドルされたＲＡＲメッセージは、ランダムアクセス手順において１つまたは複数の後続のバンドルされたメッセージを送信／受信する際に低コストＵＥによって使用され得る（たとえば、ＵＬ許可における）様々な量の情報を含んでいることがある。図８に示されているように、たとえば、バンドルされた接続要求メッセージ（たとえば、８０６におけるＭＴＣ＿ＭＳＧ３）および／またはバンドルされた競合解消メッセージ（たとえば、８０８におけるＭＴＣ＿ＭＳＧ４）の両方は、バンドルされたＲＡＲメッセージに少なくとも部分的に基づき得る。
【００９７】
[00104]ある場合には、バンドルされたＲＡＲメッセージは、バンドルされた接続要求メッセージ（たとえば、ＭＴＣ＿ＭＳＧ３）をＵＥ１２０がｅＮＢ１１０に送信するための狭帯域領域またはバンドリングサイズのうちの少なくとも１つを（ＵＬ許可を介して）示し得る。代替または追加として、場合によっては、バンドルされたＲＡＲメッセージはまた、バンドルされた競合解消メッセージ（たとえば、ＭＴＣ＿ＭＳＧ４）をＵＥ１２０がｅＮＢ１１０から受信するための狭帯域領域またはバンドリングサイズを（ＵＬ許可を介して）示し得る。
【００９８】
[00105]いくつかの態様では、バンドルされたＲＡＲメッセージ内のＲＡＲ許可は、レガシーランダムアクセス手順において使用されるＲＡＲ許可とは別様に定義され得る。たとえば、非低コストＵＥでは、ＲＡＲ許可は２０ビットであり得、ホッピングフラグのための１ビットと、固定サイズリソースブロック割当てのための１０ビットと、短縮変調およびコーディング方式のための４ビットと、スケジュールされた物理アップリンク共有チャネル（ＰＵＳＣＨ）のための伝送／送信電力制御（ＴＰＣ）コマンドのための３ビットと、ＵＬ遅延のための１ビットと、チャネル状態情報要求のための１ビットとを含み得る。
【００９９】
[00106]いくつかの態様によれば、（たとえば、ＴＴＩバンドリング下の）ｅＭＴＣにおける低コストＵＥでは、バンドルされたＲＡＲメッセージ内のＲＡＲ許可は１２ビットであり得、トランスポートブロックサイズ（ＴＢＳ）インジケータのための２ビットと、ＵＬリソースブロック割当てインジケータのための４ビットと、バンドリング長さおよびサブバンドホッピングインジケータのための３ビットと、ＴＰＣモードインジケータおよびＴＰＣコマンドのための３ビットとを含み得る。場合によっては、ＴＢＳインジケータは、４位相シフトキーイング（ＱＰＳＫ）変調およびコーディング方式（ＭＣＳ）を示し得る。場合によっては、ＵＬリソースブロック割当てインジケータは、６つのリソースブロック（たとえば、狭帯域領域）のサブバンド内の特定のリソース割振りを示すために使用され得る。場合によっては、バンドリング長さおよびサブバンドホッピングインジケータは、所与のバンドリング長さのための特定のバンドリング長さおよびサブバンドホッピングシーケンスを示し得る。たとえば、３２の所与のバンドリング長さでは、バンドリング長さおよびサブバンドホッピングインジケータは、メッセージの８つのブロックがあるべきであり、メッセージの各ブロックが４つの異なるサブバンド中でホッピングされることを示し得る。場合によっては、ＴＰＣモードインジケータは、低コストＵＥが１つまたは複数の送信電力モードで動作すべきかどうかを示し得る。たとえば、ＴＰＣモードインジケータは、低コストＵＥが最大電力モードまたは何らかの他の電力モードで動作すべきであることを示し得る。代替的に、どの電力で低コストＵＥが送信すべきかを示すためＲＡＲ許可内で１つまたは複数のＴＰＣコマンドが使用され得る。
【０１００】
[00107]上述のように、ｅＮＢ１１０が、８０４において、バンドルされたＲＡＲメッセージをＵＥ１２０に送信した後に、ＵＥ１２０は、８０６において、バンドルされた無線リソース制御（ＲＲＣ）接続要求メッセージ（たとえば、ＭＴＣ＿ＭＳＧ３）をｅＮＢ１１０に送信するために、バンドルされたＲＡＲメッセージ中の（たとえば、上記で定義されたＲＡＲ許可中で提供される）様々な情報を使用し得る。別様に言うと、ＲＡＲメッセージは、接続要求メッセージを送信するための許可を提供し得、この許可は、接続要求メッセージに関して、ＴＢＳ、バンドリング長さ、サブバンドホッピングインジケータ、ＴＰＣなどについての情報を示し得る。場合によっては、上記で説明したように、バンドルされたＲＲＣ接続要求メッセージの特定の狭帯域領域および／またはバンドリングサイズは、受信されるバンドルされたＲＡＲメッセージによって示され得る。
【０１０１】
[00108]さらに、本明細書で提示されるいくつかの態様は、バンドルされたＲＲＣ接続要求メッセージの送信タイミングが（たとえば、レガシーランダムアクセス手順とは対照的に）変化することを可能にし得る。たとえば、概して、レガシーランダムアクセス手順では、接続要求メッセージの送信のための送信タイミングは、ＲＡＲメッセージ中の許可の受信タイミングによって制御される。しかしながら、ｅＭＴＣでは、バンドリングおよび／または狭帯域動作により、バンドルされたＲＲＣ接続要求メッセージの送信タイミングは、バンドルされたＲＡＲおよびバンドルされた接続要求メッセージのために使用されるバンドリングの量に応じて適応する必要があり得る。
【０１０２】
[00109]したがって、本明細書で提示される技法は、接続要求メッセージを送信するタイミングが、バンドルされたＲＡＲメッセージのバンドリングサイズおよび／または接続要求メッセージのバンドリングサイズに少なくとも部分的に基づくことを可能にし得る。たとえば、ＵＥ１２０は、特定のサブフレームｋ中のバンドルされたＲＡＲメッセージ中のＲＡＲ許可を復号すると、第１のアップリンクサブフレームｋ＋ｎ、ｎ＞ｎ１上でバンドルされた接続要求メッセージの送信を開始し得、ここで、ｎ１は、ＵＥ１２０が新しいＵＬパケットを準備するためのおよび／または可能な狭帯域再チューニングを実施するための時間を含む。
【０１０３】
[00110]さらに、場合によっては、バンドルされた接続要求メッセージのために使用されるバンドリングの量は、ＵＥ１２０が動作している狭帯域領域および／または別の狭帯域領域に再チューニングするために必要な時間に依存し得る。たとえば、上述のように、場合によっては、バンドルされた接続要求送信は特定のサブフレームにおいて開始し得、バンドリング量は、アップリンク送信のために使用され得る狭帯域領域中に残っている利用可能なサブフレームの数に依存し得る。
【０１０４】
[00111]ＵＥ１２０が、８０６において、バンドルされた接続要求メッセージをｅＮＢ１１０に送信した後に、ＵＥ１２０は、バンドルされた競合解消メッセージ（たとえば、ＭＴＣ＿ＭＳＧ４）をｅＮＢ１１０から受信することを予想し得る。上述のように、場合によっては、バンドルされた競合解消メッセージのために使用される狭帯域領域および／またはバンドリングサイズは、ｅＮＢ１１０から受信されたバンドルされたＲＡＲメッセージ中の指示に少なくとも部分的に基づいて決定され得る。場合によっては、しかしながら、バンドルされた競合解消メッセージのための狭帯域領域および／またはバンドリングサイズがバンドルされたＲＡＲメッセージ中に示されなかった場合、バンドルされた競合解消メッセージは、バンドルされたＲＡＲメッセージが送信されたのと同じ狭帯域領域中で送信され、および／またはバンドルされたＲＡＲメッセージによって使用されたのと同じバンドリングサイズを使用し得る。
【０１０５】
[00112]本明細書で説明する技法はＭＴＣおよびｅＭＴＣにおけるランダムアクセス手順のために使用されていることがあるが、本明細書で提示される技法は、システム情報のページング、送信／受信など、ＭＴＣおよび／またはｅＭＴＣにおける他の手順にも適用され得ることを当業者は諒解されよう。
【０１０６】
ｅＭＴＣのための例示的なブロードキャスト送信優先度付け
[00113]本明細書で提示される態様はまた、ＭＴＣおよび／またはｅＭＴＣにおいてブロードキャスト送信に優先度を付けるための技法を提供し得る。
【０１０７】
[00114]上述のように、場合によっては、低コストＵＥは、所与の時間に単一のブロードキャストＴＢよりも多くを受信することが不可能であり得る。たとえば、サブフレームごとに、低コストＵＥは、一度に、ＲＡＲメッセージ、ページングメッセージ、またはブロードキャストシグナリングなどのいずれかのみを受信することが可能で可能であり得る。さらに、異なる狭帯域領域では異なるブロードキャスト送信が行われ得るが、ＢＳは、同じ時間に狭帯域領域ごとに送信を同時にブロードキャストすることが可能であり得る。したがって、場合によっては、低コストＵＥはＢＳからの特定のブロードキャスト送信を予想しているが、ＢＳはその特定のブロードキャスト送信を送信していないことがある時間があり得る。
【０１０８】
[00115]したがって、本明細書の技法は、ｅＭＴＣにおけるデバイスがブロードキャスト送信を送信／受信するときに従うべき優先ルールを提供する。
【０１０９】
[00116]いくつかの態様では、低コストＵＥは、ＢＳから収集すべきメッセージのタイプ（たとえば、ブロードキャスト送信）を決定するときに１つまたは複数の優先ルールを適用し得る。たとえば、（ＢＳからの）ブロードキャスト送信は、ＢＳからの（バンドルされた）ランダムアクセス応答、（バンドルされた）ページングメッセージ、システム情報を搬送するブロードキャストメッセージなどであり得る。場合によっては、低コストＵＥは、ＲＡＣＨメッセージをＢＳに送信した後に優先ルールを適用し得る。
【０１１０】
[00117]特定の一実装形態では、低コストＵＥは、第１の優先度として（たとえば、ＲＡＲメッセージは送信されたＲＡＣＨによってトリガされ得るので）バンドルされたＲＡＲメッセージの受信を定義し、第２の優先度として（たとえば、システム情報の着信データ通知および更新のために使用され得る）ページングメッセージの受信を定義し、第３の優先度として（たとえば、概して、頻繁に受信されることは不要であり得るが、ページングを介して示されることもあり得る）システム情報の受信を定義し得る。
【０１１１】
[00118]したがって、上記の例では、低コストＵＥがバンドルされたＲＡＣＨメッセージを送信しており、バンドルされたＲＡＲメッセージをＢＳからまだ受信していない場合、低コストＵＥは、ページングメッセージおよびシステム情報について監視する前に、ブロードキャストされたバンドルされたＲＡＲメッセージについて監視することを決定し得る。しかしながら、低コストＵＥが、バンドルされたＲＡＣＨメッセージを送信しておらず、またＲＡＲメッセージを受信してもいない場合、低コストＵＥは、ブロードキャストされたシステム情報などについて監視する前に、ブロードキャストされたページングメッセージについて監視することを決定し得る。
【０１１２】
[00119]概して、しかしながら、上記の例では、ｅＭＴＣにおいてＢＳからブロードキャスト送信を収集するための特定の優先順序について説明しているが、ＭＴＣおよび／またはｅＭＴＣにおけるブロードキャスト送信のために他の優先度も定義され得ることを当業者は認識されよう。
【０１１３】
[00120]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を用いた任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の配列）を包含するものとする。
【０１１４】
[00121]本明細書で使用される「決定すること」という用語は、多種多様な行為を包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１１５】
[00122]場合によっては、フレームを実際に通信するのではなく、デバイスは、送信または受信のためにフレームを通信するためのインターフェースを有することができる。たとえば、プロセッサは、バスインターフェースを介して、送信のためにＲＦフロントエンドにフレームを出力し得る。同様に、フレームを実際に受信するのではなく、デバイスは、別のデバイスから受信されたフレームを取得するためのインターフェースを有し得る。たとえば、プロセッサは、バスインターフェースを介して、送信のためにＲＦフロントエンドからフレームを取得（または受信）し得る。
【０１１６】
[00123]本明細書で開示される方法は、説明した方法を達成するための１つまたは複数のステップまたは行為を備える。方法のステップおよび／または行為は、特許請求の範囲から逸脱することなく、互いに交換され得る。言い換えれば、ステップまたは行為の特定の順序が指定されていない限り、特定のステップおよび／または行為の順序および／または使用は、特許請求の範囲から逸脱することなく変更され得る。
【０１１７】
[00124]上記で説明した方法の様々な動作は、対応する機能を実施することが可能な任意の好適な手段によって実施され得る。１つまたは複数のプロセッサ、回路、または他のデバイスはソフトウェアを実行し得る。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、任意の好適な対応するカウンターパートのミーンズプラスファンクション構成要素によって実施され得る。
【０１１８】
[00125]たとえば、受信するための手段および／または監視するための手段は、図２に示されている基地局１１０の受信プロセッサ２３８、ＭＩＭＯ検出器２３６、復調器２３２ａ〜２３２ｔ、および／またはアンテナ２３４ａ〜２３４ｔ、ならびに／あるいは図２に示されているユーザ機器１２０のＭＩＭＯ検出器２５６、受信プロセッサ２５８、復調器２５４ａ〜２５４ｒ、および／またはアンテナ２５２ａ〜２５２ｒなどの受信機を含み得る。決定するための手段、監視手段、適用するための手段、復号するための手段、示すための手段、選択するための手段、増加させるための手段、および／または実施するための手段は、図２に示されている基地局１１０のコントローラ／プロセッサ２４０、スケジューラ２４６、送信機プロセッサ２２０、受信プロセッサ２３８、ＭＩＭＯ検出器２３６、ＴＸ  ＭＩＭＯプロセッサ２３０、および／または変調器／復調器２３２ａ〜２３２ｔ、ならびに／あるいは図２に示されているユーザ機器１２０のコントローラ／プロセッサ２８０、受信プロセッサ２５８、送信プロセッサ２６４、ＭＩＭＯ検出器２５６、ＴＸ  ＭＩＭＯプロセッサ２６６、および／または変調器／復調器２５４ａ〜２５４ｒなど、１つまたは複数のプロセッサ（または処理システム）を含み得る。シグナリングするための手段、提供するための手段、送信するための手段、増加させるための手段、および／または示すための手段は、図２に示されている基地局１１０の送信プロセッサ２２０、ＴＸ  ＭＩＭＯプロセッサ２３０、変調器２３２ａ〜２３２ｔ、および／またはアンテナ２３４ａ〜２３４ｔ、ならびに／あるいは図２に示されているユーザ機器１２０の送信プロセッサ２６４、ＴＸ  ＭＩＭＯプロセッサ２６６、変調器２５４ａ〜２５４ｒ、および／またはアンテナ２５２ａ〜２５２ｒなどの送信機を含み得る。
【０１１９】
[00126]情報および信号は、多種多様な技術および技法のうちのいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【０１２０】
[00127]さらに、本明細書の開示に関して説明した様々な例示的な論理ブロック、モジュール、回路、およびアルゴリズムステップは、ハードウェア、ソフトウェア、またはそれらの組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈されるべきではない。
【０１２１】
[00128]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、あるいは任意の他のそのような構成）として実装され得る。
【０１２２】
[00129]本明細書の開示に関して説明した方法またはアルゴリズムのステップは、直接ハードウェアで実施されるか、プロセッサによって実行されるソフトウェアモジュールで実施されるか、またはそれらの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１２３】
[00130]１つまたは複数の例示的な設計では、説明した機能は、ハードウェア、ソフトウェア、またはそれらの組合せで実装され得る。ソフトウェアで実装される場合、機能は、１つまたは複数の命令またはコードとしてコンピュータ可読媒体上に記憶されるか、またはコンピュータ可読媒体を介して送信され得る。コンピュータ可読媒体は、コンピュータプログラムのある場所から別の場所への転送を容易にする任意の媒体を含む、コンピュータ記憶媒体と通信媒体の両方を含む。記憶媒体は、汎用コンピュータまたは特別目的コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲に含まれるべきである。
【０１２４】
[00131]本開示の前述の説明は、いかなる当業者でも本開示を作成または使用することができるように提供される。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
【図１】
2020092434.tif 000003
【図２】
2020092434.tif 000004
【図３】
2020092434.tif 000005
【図４】
2020092434.tif 000006
【図５Ａ】
2020092434.tif 000007
【図５Ｂ】
2020092434.tif 000008
【図６】
2020092434.tif 000009
【図７】
2020092434.tif 000010
【図８】
2020092434.tif 000011
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
ランダムアクセスチャネル（ＲＡＣＨ）プリアンブルのセットからＲＡＣＨプリアンブルを選択することと、
前記ＲＡＣＨプリアンブルを備える物理ＲＡＣＨ（ＰＲＡＣＨ）メッセージを送信することと、
前記ＲＡＣＨプリアンブルに少なくとも部分的に基づいてランダムアクセス応答（ＲＡＲ）メッセージを受信するためのＲＡＲリソースを決定することと、
前記ＲＡＲリソース上で前記ＲＡＲメッセージを受信することと
を備える、ワイヤレス通信の方法。
【請求項２】
前記ＲＡＣＨプリアンブルに少なくとも部分的に基づいて１つまたは複数の制御チャネル復号候補を識別することと、
前記１つまたは複数の制御チャネル候補をブラインド復号することと
をさらに備える、請求項１に記載の方法。
【請求項３】
前記１つまたは複数の制御チャネル復号候補を識別することが、アグリゲーションレベル、ＲＡＲメッセージバンドリングサイズ、またはＲＡＲメッセージパケットサイズのうちの少なくとも１つを決定することを備える、請求項２に記載の方法。
【請求項４】
前記アグリゲーションレベルが拡張制御チャネル要素（ＥＣＣＥ）を備える、請求項３に記載の方法。
【請求項５】
前記ＲＡＲメッセージパケットサイズが前記ＲＡＣＨプリアンブルに少なくとも部分的に基づく、請求項３に記載の方法。
【請求項６】
前記ＲＡＣＨプリアンブルが、前記ＲＡＲメッセージのバンドリングサイズに少なくとも部分的に基づいて選択される、請求項１に記載の方法。
【請求項７】
前記ＲＡＲリソースが、キャリア帯域幅の狭帯域周波数領域、開始送信時間、開始サブフレーム、またはＲＡＲメッセージバンドリングサイズのうちの少なくとも１つを備える、請求項１に記載の方法。
【請求項８】
前記ＲＡＲメッセージバンドリングサイズがＰＲＡＣＨメッセージバンドリングサイズに依存しない、請求項７に記載の方法。
【請求項９】
ＲＡＣＨプリアンブルを備える物理ランダムアクセスチャネル（ＰＲＡＣＨ）メッセージを受信することと、
前記ＲＡＣＨプリアンブルに少なくとも部分的に基づいてランダムアクセス応答（ＲＡＲ）メッセージを送信するためのＲＡＲリソースを選択することと
を備える、ワイヤレス通信の方法。
【請求項１０】
前記ＲＡＣＨプリアンブルに少なくとも部分的に基づいて前記ＲＡＲメッセージのためのバンドリングサイズを決定することをさらに備える、請求項９に記載の方法。
【請求項１１】
ワイヤレス通信のための装置であって、
ランダムアクセスチャネル（ＲＡＣＨ）プリアンブルのセットからＲＡＣＨプリアンブルを選択するための手段と、
前記ＲＡＣＨプリアンブルを備える物理ＲＡＣＨ（ＰＲＡＣＨ）メッセージを送信するための手段と、
前記ＲＡＣＨプリアンブルに少なくとも部分的に基づいてランダムアクセス応答（ＲＡＲ）メッセージを受信するためのＲＡＲリソースを決定するための手段と、
前記ＲＡＲリソース上で前記ＲＡＲメッセージを受信するための手段と
を備える、装置。
【請求項１２】
前記ＲＡＣＨプリアンブルに少なくとも部分的に基づいて１つまたは複数の制御チャネル復号候補を識別するための手段と、
前記１つまたは複数の制御チャネル候補をブラインド復号するための手段と
をさらに備える、請求項１１に記載の装置。
【請求項１３】
前記１つまたは複数の制御チャネル復号候補を識別するための前記手段が、アグリゲーションレベル、ＲＡＲメッセージバンドリングサイズ、またはＲＡＲメッセージパケットサイズのうちの少なくとも１つを決定するための手段を備える、請求項１２に記載の装置。
【請求項１４】
前記アグリゲーションレベルが拡張制御チャネル要素（ＥＣＣＥ）を備える、請求項１３に記載の装置。
【請求項１５】
前記ＲＡＲメッセージパケットサイズが前記ＲＡＣＨプリアンブルに少なくとも部分的に基づく、請求項１３に記載の装置。
【請求項１６】
前記ＲＡＣＨプリアンブルが、前記ＲＡＲメッセージのバンドリングサイズに少なくとも部分的に基づいて選択される、請求項１１に記載の装置。
【請求項１７】
前記ＲＡＲリソースが、キャリア帯域幅の狭帯域周波数領域、開始送信時間、開始サブフレーム、またはＲＡＲメッセージバンドリングサイズのうちの少なくとも１つを備える、請求項１１に記載の装置。
【請求項１８】
前記ＲＡＲメッセージバンドリングサイズがＰＲＡＣＨメッセージバンドリングサイズに依存しない、請求項１７に記載の装置。
【請求項１９】
ワイヤレス通信のための装置であって、
ＲＡＣＨプリアンブルを備える物理ランダムアクセスチャネル（ＰＲＡＣＨ）メッセージを受信するための手段と、
前記ＲＡＣＨプリアンブルに少なくとも部分的に基づいてランダムアクセス応答（ＲＡＲ）メッセージを送信するためのＲＡＲリソースを選択するための手段と
を備える、装置。
【請求項２０】
前記ＲＡＣＨプリアンブルに少なくとも部分的に基づいて前記ＲＡＲメッセージのためのバンドリングサイズを決定するための手段をさらに備える、請求項１９に記載の装置。
【請求項２１】
ワイヤレス通信のための装置であって、
ランダムアクセスチャネル（ＲＡＣＨ）プリアンブルのセットからＲＡＣＨプリアンブルを選択することと、
送信機を介して、前記ＲＡＣＨプリアンブルを備える物理ＲＡＣＨ（ＰＲＡＣＨ）メッセージを送信することと、
前記ＲＡＣＨプリアンブルに少なくとも部分的に基づいてランダムアクセス応答（ＲＡＲ）メッセージを受信するためのＲＡＲリソースを決定することと、
受信機を介して、前記ＲＡＲリソース上で前記ＲＡＲメッセージを受信することと
を行うように構成された少なくとも１つのプロセッサと、
前記少なくとも１つのプロセッサに結合されたメモリと
を備える、装置。
【請求項２２】
前記少なくとも１つのプロセッサが、
前記ＲＡＣＨプリアンブルに少なくとも部分的に基づいて１つまたは複数の制御チャネル復号候補を識別することと、
前記１つまたは複数の制御チャネル候補をブラインド復号することと
を行うようにさらに構成された、請求項２１に記載の装置。
【請求項２３】
前記少なくとも１つのプロセッサが、アグリゲーションレベル、ＲＡＲメッセージバンドリングサイズ、またはＲＡＲメッセージパケットサイズのうちの少なくとも１つを決定するように構成された、請求項２２に記載の装置。
【請求項２４】
前記アグリゲーションレベルが拡張制御チャネル要素（ＥＣＣＥ）を備える、請求項２３に記載の装置。
【請求項２５】
前記ＲＡＲメッセージパケットサイズが前記ＲＡＣＨプリアンブルに少なくとも部分的に基づく、請求項２３に記載の装置。
【請求項２６】
前記ＲＡＣＨプリアンブルが、前記ＲＡＲメッセージのバンドリングサイズに少なくとも部分的に基づいて選択される、請求項２１に記載の装置。
【請求項２７】
前記ＲＡＲリソースが、キャリア帯域幅の狭帯域周波数領域、開始送信時間、開始サブフレーム、またはＲＡＲメッセージバンドリングサイズのうちの少なくとも１つを備える、請求項２１に記載の装置。
【請求項２８】
前記ＲＡＲメッセージバンドリングサイズがＰＲＡＣＨメッセージバンドリングサイズに依存しない、請求項２７に記載の装置。
【請求項２９】
ワイヤレス通信のための装置であって、
ＲＡＣＨプリアンブルを備える物理ランダムアクセスチャネル（ＰＲＡＣＨ）メッセージを受信するように構成された受信機と、
前記ＲＡＣＨプリアンブルに少なくとも部分的に基づいてランダムアクセス応答（ＲＡＲ）メッセージを送信するためのＲＡＲリソースを選択するように構成された少なくとも１つのプロセッサと、
前記少なくとも１つのプロセッサに結合されたメモリと
を備える、装置。
【請求項３０】
前記少なくとも１つのプロセッサが、前記ＲＡＣＨプリアンブルに少なくとも部分的に基づいて前記ＲＡＲメッセージのためのバンドリングサイズを決定するようにさらに構成された、請求項２９に記載の装置。
【請求項３１】
ランダムアクセスチャネル（ＲＡＣＨ）プリアンブルのセットからＲＡＣＨプリアンブルを選択するためのコードと、
前記ＲＡＣＨプリアンブルを備える物理ＲＡＣＨ（ＰＲＡＣＨ）メッセージを送信するためのコードと、
前記ＲＡＣＨプリアンブルに少なくとも部分的に基づいてランダムアクセス応答（ＲＡＲ）メッセージを受信するためのＲＡＲリソースを決定するためのコードと、
前記ＲＡＲリソース上で前記ＲＡＲメッセージを受信するためのコードと
を備える、コンピュータ実行可能コードを記憶した非一時的コンピュータ可読媒体。
【請求項３２】
前記ＲＡＣＨプリアンブルに少なくとも部分的に基づいて１つまたは複数の制御チャネル復号候補を識別するためのコードと、
前記１つまたは複数の制御チャネル候補をブラインド復号するためのコードと
をさらに備える、請求項３１に記載の非一時的コンピュータ可読媒体。
【請求項３３】
前記１つまたは複数の制御チャネル復号候補を識別するための前記コードが、アグリゲーションレベル、ＲＡＲメッセージバンドリングサイズ、またはＲＡＲメッセージパケットサイズのうちの少なくとも１つを決定するためのコードを備える、請求項３２に記載の非一時的コンピュータ可読媒体。
【請求項３４】
前記アグリゲーションレベルが拡張制御チャネル要素（ＥＣＣＥ）を備える、請求項３３に記載の非一時的コンピュータ可読媒体。
【請求項３５】
前記ＲＡＲメッセージパケットサイズが前記ＲＡＣＨプリアンブルに少なくとも部分的に基づく、請求項３３に記載の非一時的コンピュータ可読媒体。
【請求項３６】
前記ＲＡＣＨプリアンブルが、前記ＲＡＲメッセージのバンドリングサイズに少なくとも部分的に基づいて選択される、請求項３１に記載の非一時的コンピュータ可読媒体。
【請求項３７】
前記ＲＡＲリソースが、キャリア帯域幅の狭帯域周波数領域、開始送信時間、開始サブフレーム、またはＲＡＲメッセージバンドリングサイズのうちの少なくとも１つを備える、請求項３１に記載の非一時的コンピュータ可読媒体。
【請求項３８】
前記ＲＡＲメッセージバンドリングサイズがＰＲＡＣＨメッセージバンドリングサイズに依存しない、請求項３７に記載の非一時的コンピュータ可読媒体。
【請求項３９】
ＲＡＣＨプリアンブルを備える物理ランダムアクセスチャネル（ＰＲＡＣＨ）メッセージを受信するためのコードと、
前記ＲＡＣＨプリアンブルに少なくとも部分的に基づいてランダムアクセス応答（ＲＡＲ）メッセージを送信するためのＲＡＲリソースを選択するためのコードと
を備える、コンピュータ実行可能コードを記憶した非一時的コンピュータ可読媒体。
【請求項４０】
前記ＲＡＣＨプリアンブルに少なくとも部分的に基づいて前記ＲＡＲメッセージのためのバンドリングサイズを決定するためのコードをさらに備える、請求項３９に記載の非一時的コンピュータ可読媒体。
【手続補正２】
【補正対象書類名】明細書
【補正対象項目名】０１２４
【補正方法】変更
【補正の内容】
【０１２４】
[00131]本開示の前述の説明は、いかなる当業者でも本開示を作成または使用することができるように提供される。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］  ユーザ機器（ＵＥ）によるワイヤレス通信のための方法であって、
バンドルされたランダムアクセスチャネル（ＲＡＣＨ）メッセージを前記ＵＥが基地局（ＢＳ）に送信し得る複数のサブフレームを決定することと、
前記複数のサブフレーム内で、前記バンドルされたＲＡＣＨメッセージを送信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信することと
を備える、方法。
［Ｃ２］  前記複数のサブフレームが、前記バンドルされたＲＡＣＨメッセージの開始サブフレームとして利用可能な特定のサブフレームに少なくとも部分的に基づいて決定される、Ｃ１に記載の方法。
［Ｃ３］  前記バンドルされたＲＡＣＨメッセージのための前記バンドリングサイズが、前記ＢＳからのブロードキャストシグナリングに少なくとも部分的に基づいて決定される、Ｃ１に記載の方法。
［Ｃ４］  前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、Ｃ１に記載の方法。
［Ｃ５］  前記バンドルされたＲＡＣＨメッセージのための前記バンドリングサイズが、推定カバレージ拡張ターゲットに少なくとも部分的に基づいて決定される、Ｃ１に記載の方法。
［Ｃ６］  前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、Ｃ１に記載の方法。
［Ｃ７］  前記成功または失敗が、前に送信されたバンドルされたＲＡＣＨメッセージについての前記ＢＳからのランダムアクセス応答メッセージを正常に復号することに少なくとも部分的に基づいて決定される、Ｃ６に記載の方法。
［Ｃ８］  前記前のバンドルされたＲＡＣＨメッセージを正常に復号することの前記ＢＳの失敗に応答して、
前記前のバンドルされたＲＡＣＨメッセージのためのバンドリングサイズに対して前記バンドルされたＲＡＣＨメッセージのための前記バンドリングサイズを増加させること、または
前記前のバンドルされたＲＡＣＨメッセージのための送信電力に対して前記バンドルされたＲＡＣＨメッセージのための送信電力を増加させること
のうちの少なくとも１つをさらに備える、Ｃ６に記載の方法。
［Ｃ９］  前記ＢＳからバンドルされたランダムアクセス応答メッセージを受信することをさらに備える、Ｃ１に記載の方法。
［Ｃ１０］  前記バンドルされたランダムアクセス応答メッセージの制御部分の狭帯域領域またはバンドリングサイズのうちの少なくとも１つが、前記選択されたバンドルされたＲＡＣＨメッセージからの少なくとも１つのプロパティの決定に少なくとも部分的に基づく、Ｃ９に記載の方法。
［Ｃ１１］  前記少なくとも１つのプロパティが、前記バンドルされたＲＡＣＨメッセージの前記少なくとも１つの狭帯域領域または前記バンドリングサイズのうちの少なくとも１つを備える、Ｃ１０に記載の方法。
［Ｃ１２］  前記バンドルされたランダムアクセス応答メッセージのタイミングが、前記バンドルされたＲＡＣＨメッセージの前記バンドリングサイズに少なくとも部分的に基づく、Ｃ９に記載の方法。
［Ｃ１３］  前記バンドルされたランダムアクセス応答メッセージは、前記ＵＥが接続要求メッセージを送信するための狭帯域領域またはバンドリングサイズのうちの少なくとも１つを示す、Ｃ９に記載の方法。
［Ｃ１４］  前記バンドルされたランダムアクセス応答メッセージは、前記ＵＥが前記ＢＳから競合解消メッセージを受信するための狭帯域領域またはバンドリングサイズのうちの少なくとも１つを示す、Ｃ１３に記載の方法。
［Ｃ１５］  前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、Ｃ９に記載の方法。
［Ｃ１６］  接続要求メッセージを送信するタイミングが、前記バンドルされたランダムアクセス応答メッセージまたは前記接続要求メッセージのうちの少なくとも１つのバンドリングサイズに少なくとも部分的に基づく、Ｃ９に記載の方法。
［Ｃ１７］  前記ＢＳからの競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、Ｃ９に記載の方法。
［Ｃ１８］  前記ＢＳから収集すべきメッセージのタイプを決定するための前記ＵＥの優先度を適用することと、ここにおいて、メッセージの前記タイプが、ランダムアクセス応答メッセージ、ページングメッセージ、またはシステム情報を搬送するブロードキャストメッセージのうちの１つを備える、
前記ＵＥの前記優先度に少なくとも部分的に基づいて、前記ＢＳからのメッセージの前記タイプについて監視することと
をさらに備える、Ｃ１に記載の方法。
［Ｃ１９］  ワイヤレス通信のための装置であって、
バンドルされたランダムアクセスチャネル（ＲＡＣＨ）メッセージを前記装置が基地局（ＢＳ）に送信し得る複数のサブフレームを決定するための手段と、
前記複数のサブフレーム内で、前記バンドルされたＲＡＣＨメッセージを送信するための少なくとも１つの狭帯域領域を決定するための手段と、
前記バンドルされたＲＡＣＨメッセージのためのバンドリングサイズを決定するための手段と、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信するための手段と
を備える、装置。
［Ｃ２０］  前記複数のサブフレームが、前記バンドルされたＲＡＣＨメッセージの開始サブフレームとして利用可能な特定のサブフレームに少なくとも部分的に基づいて決定される、Ｃ１９に記載の装置。
［Ｃ２１］  前記バンドルされたＲＡＣＨメッセージのための前記バンドリングサイズが、前記ＢＳからのブロードキャストシグナリングに少なくとも部分的に基づいて決定される、Ｃ１９に記載の装置。
［Ｃ２２］  前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、Ｃ１９に記載の装置。
［Ｃ２３］  前記バンドルされたＲＡＣＨメッセージのための前記バンドリングサイズが、推定カバレージ拡張ターゲットに少なくとも部分的に基づいて決定される、Ｃ１９に記載の装置。
［Ｃ２４］  前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、Ｃ１９に記載の装置。
［Ｃ２５］  ランダムアクセス応答メッセージを復号するための手段をさらに備え、ここにおいて、前記成功または失敗が、前に送信されたバンドルされたＲＡＣＨメッセージについての前記ＢＳからの前記ランダムアクセス応答メッセージを正常に復号することに少なくとも部分的に基づいて決定される、Ｃ２４に記載の装置。
［Ｃ２６］  前記前のバンドルされたＲＡＣＨメッセージを正常に復号することの前記ＢＳの失敗に応答して、
前記前のバンドルされたＲＡＣＨメッセージのためのバンドリングサイズに対して前記バンドルされたＲＡＣＨメッセージのための前記バンドリングサイズ、または
前記前のバンドルされたＲＡＣＨメッセージのための送信電力に対して前記バンドルされたＲＡＣＨメッセージのための送信電力
のうちの少なくとも１つを増加させるための手段をさらに備える、Ｃ２４に記載の装置。
［Ｃ２７］  前記ＢＳからバンドルされたランダムアクセス応答メッセージを受信するための手段をさらに備える、Ｃ１９に記載の装置。
［Ｃ２８］  前記バンドルされたランダムアクセス応答メッセージの制御部分の狭帯域領域またはバンドリングサイズのうちの少なくとも１つが、前記選択されたバンドルされたＲＡＣＨメッセージからの少なくとも１つのプロパティの決定に少なくとも部分的に基づく、Ｃ２７に記載の装置。
［Ｃ２９］  前記少なくとも１つのプロパティが、前記バンドルされたＲＡＣＨメッセージの前記少なくとも１つの狭帯域領域または前記バンドリングサイズのうちの少なくとも１つを備える、Ｃ２７に記載の装置。
［Ｃ３０］  前記バンドルされたランダムアクセス応答メッセージのタイミングが、前記バンドルされたＲＡＣＨメッセージの前記バンドリングサイズに少なくとも部分的に基づく、Ｃ２７に記載の装置。
［Ｃ３１］  接続要求メッセージを送信するための手段をさらに備え、ここにおいて、前記バンドルされたランダムアクセス応答メッセージは、前記装置が前記接続要求メッセージを送信するための狭帯域領域またはバンドリングサイズのうちの少なくとも１つを示す、Ｃ２７に記載の装置。
［Ｃ３２］  競合解消メッセージを受信するための手段をさらに備え、ここにおいて、前記バンドルされたランダムアクセス応答メッセージは、前記装置が前記ＢＳから前記競合解消メッセージを受信するための狭帯域領域またはバンドリングサイズのうちの少なくとも１つを示す、Ｃ３１に記載の装置。
［Ｃ３３］  接続要求メッセージを送信するための手段をさらに備え、ここにおいて、前記バンドルされたランダムアクセス応答メッセージが、前記接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、Ｃ２７に記載の装置。
［Ｃ３４］  接続要求メッセージを送信するための手段をさらに備え、ここにおいて、前記接続要求メッセージを送信するタイミングが、前記バンドルされたランダムアクセス応答メッセージまたは前記接続要求メッセージのうちの少なくとも１つのバンドリングサイズに少なくとも部分的に基づく、Ｃ２７に記載の装置。
［Ｃ３５］  競合解消メッセージを受信するための手段をさらに備え、ここにおいて、前記ＢＳからの前記競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、Ｃ２７に記載の装置。
［Ｃ３６］  前記ＢＳから収集すべきメッセージのタイプを決定するための前記装置の優先度を適用するための手段と、ここにおいて、メッセージの前記タイプが、ランダムアクセス応答メッセージ、ページングメッセージ、またはシステム情報を搬送するブロードキャストメッセージのうちの１つを備える、
前記装置の前記優先度に少なくとも部分的に基づいて、前記ＢＳからのメッセージの前記タイプについて監視するための手段と
をさらに備える、Ｃ１９に記載の装置。
［Ｃ３７］  ワイヤレス通信のための装置であって、
バンドルされたランダムアクセスチャネル（ＲＡＣＨ）メッセージを前記装置が基地局（ＢＳ）に送信し得る複数のサブフレームを決定することと、
前記複数のサブフレーム内で、前記バンドルされたＲＡＣＨメッセージを送信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが送信される前記複数のサブフレームの数を示す、
を行うように構成された少なくとも１つのプロセッサと、
前記決定されたバンドリングサイズに少なくとも部分的に基づいて、前記複数のサブフレームの前記少なくとも１つの狭帯域領域中で前記バンドルされたＲＡＣＨメッセージを送信するように構成された送信機と、
前記少なくとも１つのプロセッサに結合されたメモリと
を備える、装置。
［Ｃ３８］  ユーザ機器（ＵＥ）によるワイヤレス通信のためのコンピュータ可読媒体であって、  バンドルされたランダムアクセスチャネル（ＲＡＣＨ）メッセージを前記ＵＥが基地局（ＢＳ）に送信し得る複数のサブフレームを決定するためのコードと、
前記複数のサブフレーム内で、前記バンドルされたＲＡＣＨメッセージを送信するための少なくとも１つの狭帯域領域を決定するためのコードと、
前記バンドルされたＲＡＣＨメッセージのためのバンドリングサイズを決定するためのコードと、前記バンドリングサイズが、前記バンドルされたＲＡＣＨメッセージが送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを送信するためのコードと
を備えるコンピュータ実行可能コードを記憶した、コンピュータ可読媒体。
［Ｃ３９］  基地局（ＢＳ）によるワイヤレス通信のための方法であって、
バンドルされたランダムアクセスチャネル（ＲＡＣＨ）メッセージをユーザ機器（ＵＥ）が前記ＢＳに送信し得る複数のサブフレームを決定することと、
前記複数のサブフレーム内で、前記バンドルされたＲＡＣＨメッセージを受信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信することと
を備える、方法。
［Ｃ４０］  前記複数のサブフレームが、前記バンドルされたＲＡＣＨメッセージの開始サブフレームとして利用可能な特定のサブフレームに少なくとも部分的に基づいて決定される、Ｃ３９に記載の方法。
［Ｃ４１］  前記バンドルされたＲＡＣＨメッセージのための前記バンドリングサイズが、前記ＢＳからのブロードキャストシグナリングに少なくとも部分的に基づいて決定される、Ｃ３９に記載の方法。
［Ｃ４２］  前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、Ｃ３９に記載の方法。
［Ｃ４３］  前記バンドルされたＲＡＣＨメッセージのための前記バンドリングサイズが、推定カバレージ拡張ターゲットに少なくとも部分的に基づいて決定される、Ｃ３９に記載の方法。
［Ｃ４４］  前記バンドルされたＲＡＣＨメッセージのための前記バンドリングサイズが、前のバンドルされたＲＡＣＨメッセージを正常に復号することの前記ＢＳの成功または失敗に少なくとも部分的に基づいて決定される、Ｃ３９に記載の方法。
［Ｃ４５］  前記成功または失敗は、前のバンドルされたＲＡＣＨメッセージについての前記ＢＳからのランダムアクセス応答メッセージを前記ＵＥが正常に復号することに少なくとも部分的に基づいて決定される、Ｃ４４に記載の方法。
［Ｃ４６］  前記ＢＳからバンドルされたランダムアクセス応答メッセージを送信することをさらに備える、Ｃ３９に記載の方法。
［Ｃ４７］  前記バンドルされたランダムアクセス応答メッセージの制御部分の狭帯域領域またはバンドリングサイズのうちの少なくとも１つが、前記バンドルされたＲＡＣＨメッセージからの少なくとも１つのプロパティの決定に少なくとも部分的に基づいて決定される、Ｃ４６に記載の方法。
［Ｃ４８］  前記バンドルされたＲＡＣＨメッセージからの前記少なくとも１つのプロパティが、前記バンドルされたＲＡＣＨメッセージの前記少なくとも１つの狭帯域領域または前記バンドリングサイズのうちの少なくとも１つを備える、Ｃ４７に記載の方法。
［Ｃ４９］  前記ランダムアクセス応答メッセージのタイミングが、前記バンドルされたＲＡＣＨメッセージの前記バンドリングサイズに少なくとも部分的に基づく、Ｃ４６に記載の方法。
［Ｃ５０］  前記バンドルされたランダムアクセス応答メッセージは、前記ＵＥが接続要求メッセージを送信するための狭帯域領域またはバンドリングサイズのうちの少なくとも１つを示す、Ｃ４６に記載の方法。
［Ｃ５１］  前記バンドルされたランダムアクセス応答メッセージは、前記ＵＥが前記ＢＳから競合解消メッセージを受信するための狭帯域領域またはバンドリングサイズのうちの少なくとも１つを示す、Ｃ５０に記載の方法。
［Ｃ５２］  前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、Ｃ４６に記載の方法。
［Ｃ５３］  接続要求メッセージを受信するタイミングが、前記バンドルされたランダムアクセス応答メッセージまたは前記接続要求メッセージのうちの少なくとも１つのバンドリングサイズに少なくとも部分的に基づく、Ｃ４６に記載の方法。
［Ｃ５４］  前記ＢＳからの競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、Ｃ４６に記載の方法。
［Ｃ５５］  ワイヤレス通信のための装置であって、
バンドルされたランダムアクセスチャネル（ＲＡＣＨ）メッセージをユーザ機器（ＵＥ）が前記装置に送信し得る複数のサブフレームを決定するための手段と、
前記複数のサブフレーム内で、前記バンドルされたＲＡＣＨメッセージを受信するための少なくとも１つの狭帯域領域を決定するための手段と、
前記バンドルされたＲＡＣＨメッセージのためのバンドリングサイズを決定するための手段と、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信するための手段と
を備える、装置。
［Ｃ５６］  前記複数のサブフレームが、前記バンドルされたＲＡＣＨメッセージの開始サブフレームとして利用可能な特定のサブフレームに少なくとも部分的に基づいて決定される、Ｃ５５に記載の装置。
［Ｃ５７］  前記バンドルされたＲＡＣＨメッセージのための前記バンドリングサイズが、前記装置からのブロードキャストシグナリングに少なくとも部分的に基づいて決定される、Ｃ５５に記載の装置。
［Ｃ５８］  前記バンドルされたＲＡＣＨメッセージのための前記バンドリングサイズが、前記バンドルされたＲＡＣＨメッセージの前記少なくとも１つの狭帯域領域のロケーション、または開始サブフレームに少なくとも部分的に基づいて決定される、Ｃ５５に記載の装置。
［Ｃ５９］  前記バンドルされたＲＡＣＨメッセージのための前記バンドリングサイズが、推定カバレージ拡張ターゲットに少なくとも部分的に基づいて決定される、Ｃ５５に記載の装置。
［Ｃ６０］  前記バンドルされたＲＡＣＨメッセージのための前記バンドリングサイズが、前のバンドルされたＲＡＣＨメッセージを正常に復号することの前記装置の成功または失敗に少なくとも部分的に基づいて決定される、Ｃ５５に記載の装置。
［Ｃ６１］  前記成功または失敗は、前のバンドルされたＲＡＣＨメッセージについての前記装置からのランダムアクセス応答メッセージを前記ＵＥが正常に復号することに少なくとも部分的に基づいて決定される、Ｃ６０に記載の装置。
［Ｃ６２］  前記装置からバンドルされたランダムアクセス応答メッセージを送信するための手段をさらに備える、Ｃ５５に記載の装置。
［Ｃ６３］  前記バンドルされたランダムアクセス応答メッセージの制御部分の狭帯域領域またはバンドリングサイズのうちの少なくとも１つが、前記バンドルされたＲＡＣＨメッセージからの少なくとも１つのプロパティの決定に少なくとも部分的に基づく、Ｃ６２に記載の装置。
［Ｃ６４］  前記バンドルされたＲＡＣＨメッセージからの前記少なくとも１つのプロパティが、前記バンドルされたＲＡＣＨメッセージの前記少なくとも１つの狭帯域領域または前記バンドリングサイズのうちの少なくとも１つを備える、Ｃ６３に記載の装置。
［Ｃ６５］  前記バンドルされたランダムアクセス応答メッセージのタイミングが、前記バンドルされたＲＡＣＨメッセージの前記バンドリングサイズに少なくとも部分的に基づく、Ｃ６２に記載の装置。
［Ｃ６６］  前記バンドルされたランダムアクセス応答メッセージは、前記ＵＥが接続要求メッセージを送信するための狭帯域領域またはバンドリングサイズのうちの少なくとも１つを示す、Ｃ６２に記載の装置。
［Ｃ６７］  前記バンドルされたランダムアクセス応答メッセージは、前記ＵＥが前記装置から競合解消メッセージを受信するための狭帯域領域またはバンドリングサイズのうちの少なくとも１つを示す、Ｃ６６に記載の装置。
［Ｃ６８］  前記バンドルされたランダムアクセス応答メッセージが、接続要求メッセージを送信するための許可を提供し、前記許可が、トランスポートブロックサイズ（ＴＢＳ）と、バンドリング長さと、サブバンドホッピングインジケータと、送信電力制御（ＴＰＣ）とのうちの少なくとも１つについての情報を示す、Ｃ６２に記載の装置。
［Ｃ６９］  接続要求メッセージを受信するための手段をさらに備え、ここにおいて、前記接続要求メッセージを受信するタイミングが、前記バンドルされたランダムアクセス応答メッセージまたは前記接続要求メッセージのうちの少なくとも１つのバンドリングサイズに少なくとも部分的に基づく、Ｃ６２に記載の装置。
［Ｃ７０］  競合解消メッセージを送信するための手段をさらに備え、ここにおいて、前記装置からの前記競合解消メッセージの狭帯域領域またはバンドリングサイズのうちの少なくとも１つが、前記バンドルされたランダムアクセス応答メッセージの狭帯域領域またはバンドリングサイズのうちの少なくとも１つに少なくとも部分的に基づいて決定される、Ｃ６２に記載の装置。
［Ｃ７１］  ワイヤレス通信のための装置であって、
バンドルされたランダムアクセスチャネル（ＲＡＣＨ）メッセージをユーザ機器（ＵＥ）が前記装置に送信し得る複数のサブフレームを決定することと、
前記複数のサブフレーム内で、前記バンドルされたＲＡＣＨメッセージを受信するための少なくとも１つの狭帯域領域を決定することと、
前記バンドルされたＲＡＣＨメッセージのためのバンドリングサイズを決定することと、前記バンドリングサイズが、前記バンドルされたＲＡＣＨメッセージが前記ＵＥによって送信される前記複数のサブフレームの数を示す、
を行うように構成された少なくとも１つのプロセッサと、
前記決定されたバンドリングサイズに少なくとも部分的に基づいて、前記複数のサブフレームの前記少なくとも１つの狭帯域領域中で前記バンドルされたＲＡＣＨメッセージを受信するように構成された受信機と、
前記少なくとも１つのプロセッサに結合されたメモリと
を備える、装置。
［Ｃ７２］  基地局（ＢＳ）によるワイヤレス通信のためのコンピュータ可読媒体であって、前記コンピュータ可読媒体は、
バンドルされたランダムアクセスチャネル（ＲＡＣＨ）メッセージをユーザ機器（ＵＥ）が前記ＢＳに送信し得る複数のサブフレームを決定するためのコードと、
前記複数のサブフレーム内で、前記バンドルされたＲＡＣＨメッセージを受信するための少なくとも１つの狭帯域領域を決定するためのコードと、
前記バンドルされたＲＡＣＨメッセージのためのバンドリングサイズを決定するためのコードと、前記バンドリングサイズが、前記バンドルされたＲＡＣＨメッセージが前記ＵＥによって送信される前記複数のサブフレームの数を示す、
前記決定されたバンドリングサイズに少なくとも部分的に基づいて、前記複数のサブフレームの前記少なくとも１つの狭帯域領域中で前記バンドルされたＲＡＣＨメッセージを受信するためのコードと
を備える、コンピュータ実行可能コードを記憶した、コンピュータ可読媒体。
［Ｃ７３］  ランダムアクセスチャネル（ＲＡＣＨ）プリアンブルのセットからＲＡＣＨプリアンブルを選択することと、
前記ＲＡＣＨプリアンブルを備える物理ＲＡＣＨ（ＰＲＡＣＨ）メッセージを送信することと、
前記ＲＡＣＨプリアンブルに少なくとも部分的に基づいてランダムアクセス応答（ＲＡＲ）メッセージを受信するためのＲＡＲリソースを決定することと、
前記ＲＡＲリソース上で前記ＲＡＲメッセージを受信することと
を備える、ワイヤレス通信の方法。
［Ｃ７４］  前記ＲＡＣＨプリアンブルに少なくとも部分的に基づいて１つまたは複数の制御チャネル復号候補を識別することと、
前記１つまたは複数の制御チャネル候補をブラインド復号することと
をさらに備える、Ｃ７３に記載の方法。
［Ｃ７５］  前記１つまたは複数の制御チャネル復号候補を識別することが、アグリゲーションレベル、ＲＡＲメッセージバンドリングサイズ、またはＲＡＲメッセージパケットサイズのうちの少なくとも１つを決定することを備える、Ｃ７４に記載の方法。
［Ｃ７６］  前記アグリゲーションレベルが拡張制御チャネル要素（ＥＣＣＥ）を備える、Ｃ７５に記載の方法。
［Ｃ７７］  前記ＲＡＲメッセージパケットサイズが前記ＲＡＣＨプリアンブルに少なくとも部分的に基づく、Ｃ７５に記載の方法。
［Ｃ７８］  前記ＲＡＣＨプリアンブルが、前記ＲＡＲメッセージのバンドリングサイズに少なくとも部分的に基づいて選択される、Ｃ７３に記載の方法。
［Ｃ７９］  前記ＲＡＲリソースが、キャリア帯域幅の狭帯域周波数領域、開始送信時間、開始サブフレーム、またはＲＡＲメッセージバンドリングサイズのうちの少なくとも１つを備える、Ｃ７３に記載の方法。
［Ｃ８０］  前記ＲＡＲメッセージバンドリングサイズがＰＲＡＣＨメッセージバンドリングサイズに依存しない、Ｃ７９に記載の方法。
［Ｃ８１］  ＲＡＣＨプリアンブルを備える物理ランダムアクセスチャネル（ＰＲＡＣＨ）メッセージを受信することと、
前記ＲＡＣＨプリアンブルに少なくとも部分的に基づいてランダムアクセス応答（ＲＡＲ）メッセージを送信するためのＲＡＲリソースを選択することと
を備える、ワイヤレス通信の方法。
［Ｃ８２］  前記ＲＡＣＨプリアンブルに少なくとも部分的に基づいて前記ＲＡＲメッセージのためのバンドリングサイズを決定することをさらに備える、Ｃ８１に記載の方法。
［Ｃ８３］  ワイヤレス通信のための装置であって、
ランダムアクセスチャネル（ＲＡＣＨ）プリアンブルのセットからＲＡＣＨプリアンブルを選択するための手段と、
前記ＲＡＣＨプリアンブルを備える物理ＲＡＣＨ（ＰＲＡＣＨ）メッセージを送信するための手段と、
前記ＲＡＣＨプリアンブルに少なくとも部分的に基づいてランダムアクセス応答（ＲＡＲ）メッセージを受信するためのＲＡＲリソースを決定するための手段と、
前記ＲＡＲリソース上で前記ＲＡＲメッセージを受信するための手段と
を備える、装置。
［Ｃ８４］  前記ＲＡＣＨプリアンブルに少なくとも部分的に基づいて１つまたは複数の制御チャネル復号候補を識別するための手段と、
前記１つまたは複数の制御チャネル候補をブラインド復号するための手段と
をさらに備える、Ｃ８３に記載の装置。
［Ｃ８５］  前記１つまたは複数の制御チャネル復号候補を識別するための前記手段が、アグリゲーションレベル、ＲＡＲメッセージバンドリングサイズ、またはＲＡＲメッセージパケットサイズのうちの少なくとも１つを決定するための手段を備える、Ｃ８４に記載の装置。
［Ｃ８６］  前記アグリゲーションレベルが拡張制御チャネル要素（ＥＣＣＥ）を備える、Ｃ８５に記載の装置。
［Ｃ８７］  前記ＲＡＲメッセージパケットサイズが前記ＲＡＣＨプリアンブルに少なくとも部分的に基づく、Ｃ８５に記載の装置。
［Ｃ８８］  前記ＲＡＣＨプリアンブルが、前記ＲＡＲメッセージのバンドリングサイズに少なくとも部分的に基づいて選択される、Ｃ８３に記載の装置。
［Ｃ８９］  前記ＲＡＲリソースが、キャリア帯域幅の狭帯域周波数領域、開始送信時間、開始サブフレーム、またはＲＡＲメッセージバンドリングサイズのうちの少なくとも１つを備える、Ｃ８３に記載の装置。
［Ｃ９０］  前記ＲＡＲメッセージバンドリングサイズがＰＲＡＣＨメッセージバンドリングサイズに依存しない、Ｃ８９に記載の装置。
［Ｃ９１］  ワイヤレス通信のための装置であって、
ＲＡＣＨプリアンブルを備える物理ランダムアクセスチャネル（ＰＲＡＣＨ）メッセージを受信するための手段と、
前記ＲＡＣＨプリアンブルに少なくとも部分的に基づいてランダムアクセス応答（ＲＡＲ）メッセージを送信するためのＲＡＲリソースを選択するための手段と
を備える、装置。
［Ｃ９２］  前記ＲＡＣＨプリアンブルに少なくとも部分的に基づいて前記ＲＡＲメッセージのためのバンドリングサイズを決定するための手段をさらに備える、Ｃ９１に記載の装置。
［Ｃ９３］  ワイヤレス通信のための装置であって、
ランダムアクセスチャネル（ＲＡＣＨ）プリアンブルのセットからＲＡＣＨプリアンブルを選択することと、
送信機を介して、前記ＲＡＣＨプリアンブルを備える物理ＲＡＣＨ（ＰＲＡＣＨ）メッセージを送信することと、
前記ＲＡＣＨプリアンブルに少なくとも部分的に基づいてランダムアクセス応答（ＲＡＲ）メッセージを受信するためのＲＡＲリソースを決定することと、
受信機を介して、前記ＲＡＲリソース上で前記ＲＡＲメッセージを受信することと
を行うように構成された少なくとも１つのプロセッサと、
前記少なくとも１つのプロセッサに結合されたメモリと
を備える、装置。
［Ｃ９４］  前記少なくとも１つのプロセッサが、
前記ＲＡＣＨプリアンブルに少なくとも部分的に基づいて１つまたは複数の制御チャネル復号候補を識別することと、
前記１つまたは複数の制御チャネル候補をブラインド復号することと
を行うようにさらに構成された、Ｃ９３に記載の装置。
［Ｃ９５］  前記少なくとも１つのプロセッサが、アグリゲーションレベル、ＲＡＲメッセージバンドリングサイズ、またはＲＡＲメッセージパケットサイズのうちの少なくとも１つを決定するように構成された、Ｃ９４に記載の装置。
［Ｃ９６］  前記アグリゲーションレベルが拡張制御チャネル要素（ＥＣＣＥ）を備える、Ｃ９５に記載の装置。
［Ｃ９７］  前記ＲＡＲメッセージパケットサイズが前記ＲＡＣＨプリアンブルに少なくとも部分的に基づく、Ｃ９５に記載の装置。
［Ｃ９８］  前記ＲＡＣＨプリアンブルが、前記ＲＡＲメッセージのバンドリングサイズに少なくとも部分的に基づいて選択される、Ｃ９３に記載の装置。
［Ｃ９９］  前記ＲＡＲリソースが、キャリア帯域幅の狭帯域周波数領域、開始送信時間、開始サブフレーム、またはＲＡＲメッセージバンドリングサイズのうちの少なくとも１つを備える、Ｃ９３に記載の装置。
［Ｃ１００］  前記ＲＡＲメッセージバンドリングサイズがＰＲＡＣＨメッセージバンドリングサイズに依存しない、Ｃ９９に記載の装置。
［Ｃ１０１］  ワイヤレス通信のための装置であって、
ＲＡＣＨプリアンブルを備える物理ランダムアクセスチャネル（ＰＲＡＣＨ）メッセージを受信するように構成された受信機と、
前記ＲＡＣＨプリアンブルに少なくとも部分的に基づいてランダムアクセス応答（ＲＡＲ）メッセージを送信するためのＲＡＲリソースを選択するように構成された少なくとも１つのプロセッサと、
前記少なくとも１つのプロセッサに結合されたメモリと
を備える、装置。
［Ｃ１０２］  前記少なくとも１つのプロセッサが、前記ＲＡＣＨプリアンブルに少なくとも部分的に基づいて前記ＲＡＲメッセージのためのバンドリングサイズを決定するようにさらに構成された、Ｃ１０１に記載の装置。
［Ｃ１０３］  ランダムアクセスチャネル（ＲＡＣＨ）プリアンブルのセットからＲＡＣＨプリアンブルを選択するためのコードと、
前記ＲＡＣＨプリアンブルを備える物理ＲＡＣＨ（ＰＲＡＣＨ）メッセージを送信するためのコードと、
前記ＲＡＣＨプリアンブルに少なくとも部分的に基づいてランダムアクセス応答（ＲＡＲ）メッセージを受信するためのＲＡＲリソースを決定するためのコードと、
前記ＲＡＲリソース上で前記ＲＡＲメッセージを受信するためのコードと
を備える、コンピュータ実行可能コードを記憶した非一時的コンピュータ可読媒体。
［Ｃ１０４］  前記ＲＡＣＨプリアンブルに少なくとも部分的に基づいて１つまたは複数の制御チャネル復号候補を識別するためのコードと、
前記１つまたは複数の制御チャネル候補をブラインド復号するためのコードと
をさらに備える、Ｃ１０３に記載の非一時的コンピュータ可読媒体。
［Ｃ１０５］  前記１つまたは複数の制御チャネル復号候補を識別するための前記コードが、アグリゲーションレベル、ＲＡＲメッセージバンドリングサイズ、またはＲＡＲメッセージパケットサイズのうちの少なくとも１つを決定するためのコードを備える、Ｃ１０４に記載の非一時的コンピュータ可読媒体。
［Ｃ１０６］  前記アグリゲーションレベルが拡張制御チャネル要素（ＥＣＣＥ）を備える、Ｃ１０５に記載の非一時的コンピュータ可読媒体。
［Ｃ１０７］  前記ＲＡＲメッセージパケットサイズが前記ＲＡＣＨプリアンブルに少なくとも部分的に基づく、Ｃ１０５に記載の非一時的コンピュータ可読媒体。
［Ｃ１０８］  前記ＲＡＣＨプリアンブルが、前記ＲＡＲメッセージのバンドリングサイズに少なくとも部分的に基づいて選択される、Ｃ１０３に記載の非一時的コンピュータ可読媒体。
［Ｃ１０９］  前記ＲＡＲリソースが、キャリア帯域幅の狭帯域周波数領域、開始送信時間、開始サブフレーム、またはＲＡＲメッセージバンドリングサイズのうちの少なくとも１つを備える、Ｃ１０３に記載の非一時的コンピュータ可読媒体。
［Ｃ１１０］  前記ＲＡＲメッセージバンドリングサイズがＰＲＡＣＨメッセージバンドリングサイズに依存しない、Ｃ１０９に記載の非一時的コンピュータ可読媒体。
［Ｃ１１１］  ＲＡＣＨプリアンブルを備える物理ランダムアクセスチャネル（ＰＲＡＣＨ）メッセージを受信するためのコードと、
前記ＲＡＣＨプリアンブルに少なくとも部分的に基づいてランダムアクセス応答（ＲＡＲ）メッセージを送信するためのＲＡＲリソースを選択するためのコードと
を備える、コンピュータ実行可能コードを記憶した非一時的コンピュータ可読媒体。
［Ｃ１１２］  前記ＲＡＣＨプリアンブルに少なくとも部分的に基づいて前記ＲＡＲメッセージのためのバンドリングサイズを決定するためのコードをさらに備える、Ｃ１１１に記載の非一時的コンピュータ可読媒体。
【外国語明細書】
2020092434000001.pdf